(57)【特許請求の範囲】
【請求項１】
入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放する通信ネットワークであって、
前記複数の通信ノード装置各々が、
前記要素チャネル単位で個別に信号処理する任意数の第１のノード資源と、
前記要素チャネルを複数束ねたチャネル群単位で一括して信号処理する任意数の第２のノード資源と、
前記第１及び第２のノード資源各々の状態に関する項目を少なくとも含む状態通知情報を前記隣接する通信ノード装置に送信しかつ前記隣接する通信ノード装置から他の通信ノード装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他の通信ノード装置に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御部とを有し、
前記隣接する通信ノード装置の制御チャネル終端部間において前記状態通知情報を交換する制御チャネルと前記複数の通信ノード装置各々とから構成するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする通信ネットワーク。
【請求項２】
入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放し、集中制御装置で集中制御する通信ネットワークであって、
前記複数の通信ノード装置各々が、
前記要素チャネル単位で個別に信号処理する任意数の第１のノード資源と、
前記要素チャネルを複数束ねたチャネル群単位で一括して信号処理する任意数の第２のノード資源と、
前記第１及び第２のノード資源各々の状態に関する項目を少なくとも含む状態通知情報を前記集中制御装置に送信する制御チャネル終端部とを有し、
前記集中制御装置が、
前記複数の通信ノード装置各々に配置された前記第１及び第２のノード資源各々の状態に関する項目を少なくとも含む状態通知情報を前記複数の通信ノード装置各々から受信する制御チャネル終端部と、
前記複数の通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御部とを有し、
前記複数の通信ノード装置各々の制御チャネル終端部と前記集中制御装置の制御チャネル終端部との間において前記状態通知情報を交換する制御チャネルと前記複数の通信ノード装置各々と前記集中制御装置とから構成するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする通信ネットワーク。
【請求項３】
入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放する通信ネットワークであって、
前記複数の光通信ノード装置各々が、
前記要素波長チャネル単位で個別に信号処理する任意数の第１のノード資源と、
前記要素波長チャネルを複数束ねた波長チャネル群単位で一括して信号処理する任意数の第２のノード資源と、
前記第１及び第２のノード資源各々の状態に関する項目を少なくとも含む状態通知情報を前記隣接する光通信ノード装置に送信しかつ前記隣接する光通信ノード装置から他の光通信ノード装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他の光通信ノード装置に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御部とを有し、
前記隣接する光通信ノード装置の制御チャネル終端部間において前記状態通知情報を交換する制御チャネルと前記複数の光通信ノード装置各々とから構成するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする通信ネットワーク。
【請求項４】
入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放し、集中制御装置で集中制御する通信ネットワークであって、
前記複数の光通信ノード装置各々が、
前記要素波長チャネル単位で個別に信号処理する任意数の第１のノード資源と、
前記要素波長チャネルを複数束ねた波長チャネル群単位で一括して信号処理する任意数の第２のノード資源と、
前記第１及び第２のノード資源各々の状態に関する項目を少なくとも含む状態通知情報を前記集中制御装置に送信する制御チャネル終端部とを有し、
前記集中制御装置が、
前記複数の光通信ノード装置各々に配置された前記第１及び第２のノード資源各々の状態に関する項目を少なくとも含む状態通知情報を前記複数の光通信ノード装置各々から受信する制御チャネル終端部と、
前記複数の光通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御部とを有し、
前記複数の光通信ノード装置各々の制御チャネル終端部と前記集中制御装置の制御チャネル終端部との間において前記状態通知情報を交換する制御チャネルと前記複数の光通信ノード装置各々と前記集中制御装置とから構成するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする通信ネットワーク。
【請求項５】
前記第１のノード資源は、少なくとも前記要素波長チャネル単位で個別に方路切替え可能な方路切替器と、前記要素波長チャネル単位で個別に動作可能な３Ｒ（ｒｅｓｈａｐｉｎｇ，ｒｅｔｉｍｉｎｇ，ｒｅｇｅｎｅｒａｔｉｏｎ）再生中継器と、前記要素波長チャネル単位で個別に動作可能な波長変換器と、前記要素波長チャネル単位で個別に動作可能な信号フォーマット変換器と、前記要素波長チャネル単位で個別に動作可能な信号速度変換器とのうちの一つであることを特徴とする請求項３または請求項４記載の通信ネットワーク。
【請求項６】
前記第２のノード資源は、少なくとも前記波長チャネル群単位で一括して方路切替え可能な一括方路切替器と、前記波長チャネル群単位で一括して動作可能な一括３Ｒ（ｒｅｓｈａｐｉｎｇ，ｒｅｔｉｍｉｎｇ，ｒｅｇｅｎｅｒａｔｉｏｎ）再生中継器と、前記波長チャネル群単位で一括して動作可能な一括波長変換器と、前記波長チャネル群単位で一括して動作可能な一括フォーマット変換器と、前記波長チャネル群単位で一括して動作可能な一括信号速度変換器とのうちの一つであることを特徴とする請求項３から請求項５のいずれか記載の通信ネットワーク。
【請求項７】
前記状態通知情報は、前記隣接する光通信ノード装置へ送信する際に、状態通知情報の発信元光通信ノード装置のアドレスと、前記光通信ノード装置に配置された各ノード資源の状態に関する項目と、前記光通信ノード装置の各入力インタフェース及び各出力インタフェースに入出力される光リンクの状態に関する項目とを少なくとも記載するようにしたことを特徴とする請求項３から請求項６のいずれか記載の通信ネットワーク。
【請求項８】
前記状態通知情報は、前記光通信ノード装置に配置された前記第２のノード資源の状態に関する波長チャネル群の構造に係わる項目として、  前記ノード資源毎に、
インタフェース群の状態に関する項目として、インタフェース群の番号、前記インタフェース群に含まれる各インタフェースの番号の各項目を少なくとも記載するようにし、
ポート群の状態に関する項目として、ポート群の番号、前記ポート群に含まれる各ポートの番号、前記ポート群に接続可能な前記インタフェース群の番号の各項目を少なくとも記載するようにしたことを特徴とする請求項７記載の通信ネットワーク。
【請求項９】
前記状態通知情報は、前記ノード資源の各入力ポートの状態に関する項目として、前記入力ポートの番号、前記入力ポートの使用コスト、前記入力ポートを介して設定可能な光パスの波長、前記入力ポートを介して設定可能な光パスのフォーマット、前記入力ポートを介して設定可能な光パスの信号速度、前記入力ポートの使用状態の各項目を少なくとも記載するようにしたことを特徴とする請求項３から請求項７のいずれか記載の通信ネットワーク。
【請求項１０】
前記状態通知情報は、前記入力ポートの使用状態が使用中の場合に、前記ノード資源の各入力ポートの状態に関する項目として、前記入力ポートに接続された入力インタフェースの番号及びインタフェース群の番号のいずれかと、前記入力ポートを介して設定されている光パスの番号とを記載するようにしたことを特徴とする請求項９記載の通信ネットワーク。
【請求項１１】
前記状態通知情報は、前記ノード資源の各出力ポートの状態に関する項目として、前記出力ポートの番号、前記出力ポートの使用コスト、前記出力ポートを介して設定可能な光パスの波長、前記出力ポートを介して設定可能な光パスのフォーマット、前記出力ポートを介して設定可能な光パスの信号速度、前記出力ポートの使用状態の各項目を少なくとも記載するようにしたことを特徴とする請求項３から請求項７のいずれか記載の通信ネットワーク。
【請求項１２】
前記状態通知情報は、前記出力ポートの使用状態が使用中の場合に、前記ノード資源の各出力ポートの状態に関する項目として、前記出力ポートに接続された出力インタフェースの番号及びインタフェース群の番号のいずれかと、前記出力ポートを介して設定されている光パスの番号とを記載するようにしたことを特徴とする請求項１１記載の通信ネットワーク。
【請求項１３】
前記状態通知情報は、中継光通信ノード装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしたことを特徴とする請求項３から請求項１２のいずれか記載の通信ネットワーク。
【請求項１４】
前記状態通知情報は、前記光通信ノード装置の各入力インタフェース及び各出力インタフェースに入出力される光リンクの状態に関する項目として、前記光リンク毎の出力側光通信ノード装置のアドレス、出力側インタフェース番号、入力側光通信ノード装置のアドレス、入力側インタフェース番号、前記光リンク内の各要素波長チャネルの状態に関する項目の各項目を少なくとも記載するようにしたことを特徴とする請求項１３記載の通信ネットワーク。
【請求項１５】
前記状態通知情報は、前記光リンク内の各要素波長チャネルの状態に関する項目として、前記要素波長チャネル毎の要素波長チャネルの番号、前記要素波長チャネルの使用コスト、波長、フォーマット、信号速度、要素波長チャネルの使用状態の各項目を少なくとも記載するようにしたことを特徴とする請求項１４記載の通信ネットワーク。
【請求項１６】
前記状態通知情報は、前記要素波長チャネルの使用状態が使用中の場合に、前記要素波長チャネルの状態に関する項目として、前記要素波長チャネル上に設定された波長パスの番号を記載するようにしたことを特徴とする請求項１５記載の通信ネットワーク。
【請求項１７】
１つ以上の中継光通信ノード装置の前記波長チャネル群単位で一括して信号処理する第２のノード資源を経由して設定された光パスを、前記光パスの両端の光通信ノード装置間に設定された単一の擬似光リンクとみなし、前記擬似光リンクの設定に使用されている全ての光リンクの状態に関する項目と前記ノード資源の入力ポート及び出力ポートの状態に関する項目とを前記状態通知情報から消去し、代わりに前記擬似光リンクの状態に関する項目を前記状態通知情報に付加するようにしたことを特徴とする請求項３から請求項１６のいずれか記載の通信ネットワーク。
【請求項１８】
前記状態通知情報は、前記擬似光リンクの状態に関する項目として、出力側光通信ノード装置のアドレス、出力側インタフェースの番号、入力側光通信ノード装置のアドレス、入力側インタフェースの番号、前記擬似光リンク内の各擬似要素波長チャネルの状態に関する項目の各項目を少なくとも記載するようにしたことを特徴とする請求項１７記載の通信ネットワーク。
【請求項１９】
前記状態通知情報は、前記擬似要素波長チャネルの状態に関する項目として、前記擬似要素波長チャネルの番号、前記擬似要素波長チャネルの使用コスト、波長、フォーマット、信号速度、前記擬似要素波長チャネルの使用状態の各項目を少なくとも記載するようにしたことを特徴とする請求項１８記載の通信ネットワーク。
【請求項２０】
前記状態通知情報は、前記擬似要素波長チャネルの使用状態が使用中の場合に、前記擬似要素波長チャネルの状態に関する項目として、前記擬似要素波長チャネル上に設定されている光パスの番号を記載するようにしたことを特徴とする請求項１９記載の通信ネットワーク。
【請求項２１】
前記状態通知情報は、前記疑似要素波長チャネルの使用コストとして前記擬似要素波長チャネルを構成する全ての要素波長チャネルの使用コストと前記ノード資源の入力ポート及び出力ポートの使用コストとの合計値に設定するようにしたことを特徴とする請求項１９記載の通信ネットワーク。
【請求項２２】
入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放する通信ネットワークにおいて集中制御を行う集中制御装置であって、
前記複数の通信ノード装置各々において前記要素チャネル単位で個別に信号処理する任意数の第１のノード資源及び前記要素チャネルを複数束ねたチャネル群単位で一括して信号処理する任意数の第２のノード資源各々の状態に関する項目を少なくとも含む状態通知情報を前記複数の通信ノード装置から受信する制御チャネル終端部と、
前記複数の通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御ソフトウェアとを有し、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする集中制御装置。
【請求項２３】
入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放する通信ネットワークにおいて集中制御を行う集中制御装置であって、
前記複数の光通信ノード装置各々において前記要素波長チャネル単位で個別に信号処理する任意数の第１のノード資源及び前記要素波長チャネルを複数束ねた波長チャネル群単位で一括して信号処理する任意数の第２のノード資源各々の状態に関する項目を少なくとも含む状態通知情報を前記複数の光通信ノード装置から受信する制御チャネル終端部と、
前記複数の光通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御ソフトウェアとを有し、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする集中制御装置。
【請求項２４】
前記第１のノード資源は、少なくとも前記要素波長チャネル単位で個別に方路切替え可能な方路切替器と、前記要素波長チャネル単位で個別に動作可能な３Ｒ（ｒｅｓｈａｐｉｎｇ，ｒｅｔｉｍｉｎｇ，ｒｅｇｅｎｅｒａｔｉｏｎ）再生中継器と、前記要素波長チャネル単位で個別に動作可能な波長変換器と、前記要素波長チャネル単位で個別に動作可能な信号フォーマット変換器と、前記要素波長チャネル単位で個別に動作可能な信号速度変換器とのうちの一つであることを特徴とする請求項２３記載の集中制御装置。
【請求項２５】
前記第２のノード資源は、少なくとも前記波長チャネル群単位で一括して方路切替え可能な一括方路切替器と、前記波長チャネル群単位で一括して動作可能な一括３Ｒ（ｒｅｓｈａｐｉｎｇ，ｒｅｔｉｍｉｎｇ，ｒｅｇｅｎｅｒａｔｉｏｎ）再生中継器と、前記波長チャネル群単位で一括して動作可能な一括波長変換器と、前記波長チャネル群単位で一括して動作可能な一括フォーマット変換器と、前記波長チャネル群単位で一括して動作可能な一括信号速度変換器とのうちの一つであることを特徴とする請求項２３または請求項２４記載の集中制御装置。
【請求項２６】
前記状態通知情報は、前記隣接する光通信ノード装置へ送信する際に、状態通知情報の発信元光通信ノード装置のアドレスと、前記光通信ノード装置に配置された各ノード資源の状態に関する項目と、前記光通信ノード装置の各入力インタフェース及び各出力インタフェースに入出力される光リンクの状態に関する項目とを少なくとも記載するようにしたことを特徴とする請求項２３から請求項２５のいずれか記載の集中制御装置。
【請求項２７】
前記状態通知情報は、前記光通信ノード装置に配置された前記第２のノード資源の状態に関する波長チャネル群の構造に係わる項目として、
前記ノード資源毎に、
インタフェース群の状態に関する項目として、インタフェース群の番号、前記インタフェース群に含まれる各インタフェースの番号の各項目を少なくとも記載するようにし、
ポート群の状態に関する項目として、ポート群の番号、前記ポート群に含まれる各ポートの番号、前記ポート群に接続可能な前記インタフェース群の番号の各項目を少なくとも記載するようにしたことを特徴とする請求項２６記載の集中制御装置。
【請求項２８】
前記状態通知情報は、前記ノード資源の各入力ポートの状態に関する項目として、前記入力ポートの番号、前記入力ポートの使用コスト、前記入力ポートを介して設定可能な光パスの波長、前記入力ポートを介して設定可能な光パスのフォーマット、前記入力ポートを介して設定可能な光パスの信号速度、前記入力ポートの使用状態の各項目を少なくとも記載するようにしたことを特徴とする請求項２３から請求項２７のいずれか記載の集中制御装置。
【請求項２９】
前記状態通知情報は、前記入力ポートの使用状態が使用中の場合に、前記ノード資源の各入力ポートの状態に関する項目として、前記入力ポートに接続された入力インタフェースの番号及びインタフェース群の番号のいずれかと、前記入力ポートを介して設定されている光パスの番号とを記載するようにしたことを特徴とする請求項２８記載の集中制御装置。
【請求項３０】
前記状態通知情報は、前記ノード資源の各出力ポートの状態に関する項目として、前記出力ポートの番号、前記出力ポートの使用コスト、前記出力ポートを介して設定可能な光パスの波長、前記出力ポートを介して設定可能な光パスのフォーマット、前記出力ポートを介して設定可能な光パスの信号速度、前記出力ポートの使用状態の各項目を少なくとも記載するようにしたことを特徴とする請求項２３から請求項２７のいずれか記載の集中制御装置。
【請求項３１】
前記状態通知情報は、前記出力ポートの使用状態が使用中の場合に、前記ノード資源の各出力ポートの状態に関する項目として、前記出力ポートに接続された出力インタフェースの番号及びインタフェース群の番号のいずれかと、前記出力ポートを介して設定されている光パスの番号とを記載するようにしたことを特徴とする請求項３０記載の集中制御装置。
【請求項３２】
前記状態通知情報は、中継光通信ノード装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしたことを特徴とする請求項２３から請求項３１のいずれか記載の集中制御装置。
【請求項３３】
前記状態通知情報は、前記光通信ノード装置の各入力インタフェース及び各出力インタフェースに入出力される光リンクの状態に関する項目として、前記光リンク毎の出力側光通信ノード装置のアドレス、出力側インタフェース番号、入力側光通信ノード装置のアドレス、入力側インタフェース番号、前記光リンク内の各要素波長チャネルの状態に関する項目の各項目を少なくとも記載するようにしたことを特徴とする請求項３２記載の集中制御装置。
【請求項３４】
前記状態通知情報は、前記光リンク内の各要素波長チャネルの状態に関する項目として、前記要素波長チャネル毎の要素波長チャネルの番号、前記要素波長チャネルの使用コスト、波長、フォーマット、信号速度、要素波長チャネルの使用状態の各項目を少なくとも記載するようにしたことを特徴とする請求項３３記載の集中制御装置。
【請求項３５】
前記状態通知情報は、前記要素波長チャネルの使用状態が使用中の場合に、前記要素波長チャネルの状態に関する項目として、前記要素波長チャネル上に設定された波長パスの番号を記載するようにしたことを特徴とする請求項３４記載の集中制御装置。
【請求項３６】
１つ以上の中継光通信ノード装置の前記波長チャネル群単位で一括して信号処理する第２のノード資源を経由して設定された光パスを、前記光パスの両端の光通信ノード装置間に設定された単一の擬似光リンクとみなし、前記擬似光リンクの設定に使用されている全ての光リンクの状態に関する項目と前記ノード資源の入力ポート及び出力ポートの状態に関する項目とを前記状態通知情報から消去し、代わりに前記擬似光リンクの状態に関する項目を前記状態通知情報に付加するようにしたことを特徴とする請求項２３から請求項３５のいずれか記載の集中制御装置。
【請求項３７】
前記状態通知情報は、前記擬似光リンクの状態に関する項目として、出力側光通信ノード装置のアドレス、出力側インタフェースの番号、入力側光通信ノード装置のアドレス、入力側インタフェースの番号、前記擬似光リンク内の各擬似要素波長チャネルの状態に関する項目の各項目を少なくとも記載するようにしたことを特徴とする請求項３６記載の集中制御装置。
【請求項３８】
前記状態通知情報は、前記擬似要素波長チャネルの状態に関する項目として、前記擬似要素波長チャネルの番号、前記擬似要素波長チャネルの使用コスト、波長、フォーマット、信号速度、前記擬似要素波長チャネルの使用状態の各項目を少なくとも記載するようにしたことを特徴とする請求項３７記載の集中制御装置。
【請求項３９】
前記状態通知情報は、前記擬似要素波長チャネルの使用状態が使用中の場合に、前記擬似要素波長チャネルの状態に関する項目として、前記擬似要素波長チャネル上に設定されている光パスの番号を記載するようにしたことを特徴とする請求項３８記載の集中制御装置。
【請求項４０】
前記状態通知情報は、前記疑似要素波長チャネルの使用コストとして前記擬似要素波長チャネルを構成する全ての要素波長チャネルの使用コストと前記ノード資源の入力ポート及び出力ポートの使用コストとの合計値に設定するようにしたことを特徴とする請求項３８記載の集中制御装置。
【請求項４１】
入力インタフェース及び出力インタフェースがリンクによって隣接装置に相互接続され、前記リンクを構成する１つ以上の要素チャネルを使用して複数の装置にまたがったパスを動的に設定／開放する通信ノード装置であって、
前記要素チャネル単位で個別に信号処理する任意数の第１のノード資源と、
前記要素チャネルを複数束ねたチャネル群単位で一括して信号処理する任意数の第２のノード資源と、
前記第１及び第２のノード資源各々の状態に関する項目を少なくとも含む状態通知情報を前記隣接装置に送信しかつ前記隣接装置から他装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他装置に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御ソフトウェアとを有し、
前記隣接装置の制御チャネル終端部間において前記状態通知情報を制御チャネルを介して交換するようにし、
前記状態通知情報は、自装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする通信ノード装置。
【請求項４２】
入力インタフェース及び出力インタフェースが光リンクによって隣接装置に相互接続され、前記光リンクを構成する１つ以上の要素波長チャネルを使用して複数の隣接装置にまたがった光パスを動的に設定／開放する通信ノード装置であって、
前記要素波長チャネル単位で個別に信号処理する任意数の第１のノード資源と、
前記要素波長チャネルを複数束ねた波長チャネル群単位で一括して信号処理する任意数の第２のノード資源と、
前記第１及び第２のノード資源各々の状態に関する項目を少なくとも含む状態通知情報を前記隣接装置に送信しかつ前記隣接装置から他装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他装置に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御ソフトウェアとを有し、
前記隣接装置の制御チャネル終端部間において前記状態通知情報を制御チャネルを介して交換するようにし、
前記状態通知情報は、自装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする通信ノード装置。
【請求項４３】
前記第１のノード資源は、少なくとも前記要素波長チャネル単位で個別に方路切替え可能な方路切替器と、前記要素波長チャネル単位で個別に動作可能な３Ｒ（ｒｅｓｈａｐｉｎｇ，ｒｅｔｉｍｉｎｇ，ｒｅｇｅｎｅｒａｔｉｏｎ）再生中継器と、前記要素波長チャネル単位で個別に動作可能な波長変換器と、前記要素波長チャネル単位で個別に動作可能な信号フォーマット変換器と、前記要素波長チャネル単位で個別に動作可能な信号速度変換器とのうちの一つであることを特徴とする請求項４２記載の通信ノード装置。
【請求項４４】
前記第２のノード資源は、少なくとも前記波長チャネル群単位で一括して方路切替え可能な一括方路切替器と、前記波長チャネル群単位で一括して動作可能な一括３Ｒ（ｒｅｓｈａｐｉｎｇ，ｒｅｔｉｍｉｎｇ，ｒｅｇｅｎｅｒａｔｉｏｎ）再生中継器と、前記波長チャネル群単位で一括して動作可能な一括波長変換器と、前記波長チャネル群単位で一括して動作可能な一括フォーマット変換器と、前記波長チャネル群単位で一括して動作可能な一括信号速度変換器とのうちの一つであることを特徴とする請求項４２または請求項４３記載の通信ノード装置。
【請求項４５】
前記状態通知情報は、前記隣接装置へ送信する際に、状態通知情報の発信元光通信ノード装置のアドレスと、前記光通信ノード装置に配置された各ノード資源の状態に関する項目と、前記光通信ノード装置の各入力インタフェース及び各出力インタフェースに入出力される光リンクの状態に関する項目とを少なくとも記載するようにしたことを特徴とする請求項４２から請求項４４のいずれか記載の通信ノード装置。
【請求項４６】
前記状態通知情報は、自装置に配置された前記第２のノード資源の状態に関する波長チャネル群の構造に係わる項目として、
前記ノード資源毎に、
インタフェース群の状態に関する項目として、インタフェース群の番号、前記インタフェース群に含まれる各インタフェースの番号の各項目を少なくとも記載するようにし、
ポート群の状態に関する項目として、ポート群の番号、前記ポート群に含まれる各ポートの番号、前記ポート群に接続可能な前記インタフェース群の番号の各項目を少なくとも記載するようにしたことを特徴とする請求項４５記載の通信ネットワーク。
【請求項４７】
前記状態通知情報は、前記ノード資源の各入力ポートの状態に関する項目として、前記入力ポートの番号、前記入力ポートの使用コスト、前記入力ポートを介して設定可能な光パスの波長、前記入力ポートを介して設定可能な光パスのフォーマット、前記入力ポートを介して設定可能な光パスの信号速度、前記入力ポートの使用状態の各項目を少なくとも記載するようにしたことを特徴とする請求項４２から請求項４６のいずれか記載の通信ノード装置。
【請求項４８】
前記状態通知情報は、前記入力ポートの使用状態が使用中の場合に、前記ノード資源の各入力ポートの状態に関する項目として、前記入力ポートに接続された入力インタフェースの番号及びインタフェース群の番号のいずれかと、前記入力ポートを介して設定されている光パスの番号とを記載するようにしたことを特徴とする請求項４７記載の通信ノード装置。
【請求項４９】
前記状態通知情報は、前記ノード資源の各出力ポートの状態に関する項目として、前記出力ポートの番号、前記出力ポートの使用コスト、前記出力ポートを介して設定可能な光パスの波長、前記出力ポートを介して設定可能な光パスのフォーマット、前記出力ポートを介して設定可能な光パスの信号速度、前記出力ポートの使用状態の各項目を少なくとも記載するようにしたことを特徴とする請求項４２から請求項４６のいずれか記載の通信ノード装置。
【請求項５０】
前記状態通知情報は、前記出力ポートの使用状態が使用中の場合に、前記ノード資源の各出力ポートの状態に関する項目として、前記出力ポートに接続された出力インタフェースの番号及びインタフェース群の番号のいずれかと、前記出力ポートを介して設定されている光パスの番号とを記載するようにしたことを特徴とする請求項４９記載の通信ノード装置。
【請求項５１】
前記状態通知情報は、中継装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしたことを特徴とする請求項４２から請求項５０のいずれか記載の通信ノード装置。
【請求項５２】
前記状態通知情報は、自装置の各入力インタフェース及び各出力インタフェースに入出力される光リンクの状態に関する項目として、前記光リンク毎の出力側装置のアドレス、出力側インタフェース番号、入力側装置のアドレス、入力側インタフェース番号、前記光リンク内の各要素波長チャネルの状態に関する項目の各項目を少なくとも記載するようにしたことを特徴とする請求項５１記載の通信ノード装置。
【請求項５３】
前記状態通知情報は、前記光リンク内の各要素波長チャネルの状態に関する項目として、前記要素波長チャネル毎の要素波長チャネルの番号、前記要素波長チャネルの使用コスト、波長、フォーマット、信号速度、要素波長チャネルの使用状態の各項目を少なくとも記載するようにしたことを特徴とする請求項５２記載の通信ノード装置。
【請求項５４】
前記状態通知情報は、前記要素波長チャネルの使用状態が使用中の場合に、前記要素波長チャネルの状態に関する項目として、前記要素波長チャネル上に設定された波長パスの番号を記載するようにしたことを特徴とする請求項５３記載の通信ノード装置。
【請求項５５】
１つ以上の中継装置の前記波長チャネル群単位で一括して信号処理する第２のノード資源を経由して設定された光パスを、前記光パスの両端の装置間に設定された単一の擬似光リンクとみなし、前記擬似光リンクの設定に使用されている全ての光リンクの状態に関する項目と前記ノード資源の入力ポート及び出力ポートの状態に関する項目とを前記状態通知情報から消去し、代わりに前記擬似光リンクの状態に関する項目を前記状態通知情報に付加するようにしたことを特徴とする請求項４２から請求項５４のいずれか記載の通信ノード装置。
【請求項５６】
前記状態通知情報は、前記擬似光リンクの状態に関する項目として、出力側装置のアドレス、出力側インタフェースの番号、入力側装置のアドレス、入力側インタフェースの番号、前記擬似光リンク内の各擬似要素波長チャネルの状態に関する項目の各項目を少なくとも記載するようにしたことを特徴とする請求項５５記載の通信ノード装置。
【請求項５７】
前記状態通知情報は、前記擬似要素波長チャネルの状態に関する項目として、前記擬似要素波長チャネルの番号、前記擬似要素波長チャネルの使用コスト、波長、フォーマット、信号速度、前記擬似要素波長チャネルの使用状態の各項目を少なくとも記載するようにしたことを特徴とする請求項５６記載の通信ノード装置。
【請求項５８】
前記状態通知情報は、前記擬似要素波長チャネルの使用状態が使用中の場合に、前記擬似要素波長チャネルの状態に関する項目として、前記擬似要素波長チャネル上に設定されている光パスの番号を記載するようにしたことを特徴とする請求項５７記載の通信ノード装置。
【請求項５９】
前記状態通知情報は、前記疑似要素波長チャネルの使用コストとして前記擬似要素波長チャネルを構成する全ての要素波長チャネルの使用コストと前記ノード資源の入力ポート及び出力ポートの使用コストとの合計値に設定するようにしたことを特徴とする請求項５７記載の通信ノード装置。
【請求項６０】
入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放する通信ネットワークの状態通知情報相互交換方法であって、
前記複数の通信ノード装置各々に配設されかつ前記要素チャネル単位で信号処理する個別に任意数の第１のノード資源と前記複数の通信ノード装置各々に配設されかつ前記要素チャネルを複数束ねたチャネル群単位で一括して信号処理する任意数の第２のノード資源各々の状態に関する項目を少なくとも含む状態通知情報を前記隣接する通信ノード装置に制御チャネル終端部を介して送信するステップと、
前記隣接する通信ノード装置から他の通信ノード装置に配置された前記第１及び第２のノード資源各々の状態に関する項目を少なくとも含む状態通知情報を前記制御チャネル終端部を介して受信するステップと、
前記第１及び第２のノード資源各々の状態に関する項目を少なくとも含む状態通知情報及び前記他の通信ノード装置に配置された前記第１及び第２のノード資源各々の状態に関する項目を少なくとも含む状態通知情報をノード資源状態データベースに蓄積するステップとを前記複数の通信ノード装置各々に有し、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するようにし、
前記隣接する通信ノード装置の制御チャネル終端部間において前記状態通知情報を制御チャネルを介して交換するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする状態通知情報相互交換方法。
【請求項６１】
入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放し、集中制御装置で集中制御する通信ネットワークの状態通知情報相互交換方法であって、
前記要素チャネル単位で個別に信号処理する任意数の第１のノード資源と前記要素チャネルを複数束ねたチャネル群単位で一括して信号処理する任意数の第２のノード資源各々の状態に関する項目を少なくとも含む状態通知情報を前記集中制御装置に制御チャネル終端部を介して送信するステップを前記複数の通信ノード装置各々に有し、
前記複数の通信ノード装置各々に配置された前記第１及び第２のノード資源各々の状態に関する項目を少なくとも含む状態通知情報を前記複数の通信ノード装置各々から制御チャネル終端部を介して受信するステップと、
前記複数の通信ノード装置各々に配置された前記第１及び第２のノード資源各々の状態に関する項目を少なくとも含む状態通知情報をノード資源状態データベースに蓄積するステップとを前記集中制御装置に有し、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するようにし、
前記複数の通信ノード装置各々の制御チャネル終端部と前記集中制御装置の制御チャネル終端部との間において前記状態通知情報を制御チャネルを介して交換するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする状態通知情報相互交換方法。
【請求項６２】
入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放する通信ネットワークの状態通知情報相互交換方法であって、
前記要素波長チャネル単位で個別に信号処理する任意数の第１のノード資源と前記要素波長チャネルを複数束ねた波長チャネル群単位で一括して信号処理する任意数の第２のノード資源各々の状態に関する項目を少なくとも含む状態通知情報を前記隣接する光通信ノード装置に制御チャネル終端部を介して送信するステップと、
前記隣接する光通信ノード装置から他の光通信ノード装置に配置された前記第１及び第２のノード資源各々の状態に関する項目を少なくとも含む状態通知情報を前記制御チャネル終端部を介して受信するステップと、
前記第１及び第２のノード資源各々の状態に関する項目を少なくとも含む状態通知情報及び前記他の光通信ノード装置に配置された前記第１及び第２のノード資源各々の状態に関する項目を少なくとも含む状態通知情報をノード資源状態データベースに蓄積するステップとを前記複数の光通信ノード装置各々に有し、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定するようにし、
前記隣接する光通信ノード装置の制御チャネル終端部間において前記状態通知情報を制御チャネルを介して交換するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする状態通知情報相互交換方法。
【請求項６３】
入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放し、集中制御装置で集中制御する通信ネットワークの状態通知情報相互交換方法であって、
前記要素波長チャネル単位で個別に信号処理する任意数の第１のノード資源と前記要素波長チャネルを複数束ねた波長チャネル群単位で一括して信号処理する任意数の第２のノード資源各々の状態に関する項目を少なくとも含む状態通知情報を前記集中制御装置に制御チャネル終端部を介して送信するステップを前記複数の光通信ノード装置各々に有し、
前記複数の光通信ノード装置各々に配置された前記第１及び第２のノード資源各々の状態に関する項目を少なくとも含む状態通知情報を前記複数の光通信ノード装置各々から制御チャネル終端部を介して受信するステップと、
前記複数の光通信ノード装置各々に配置された前記第１及び第２のノード資源各々の状態に関する項目を少なくとも含む状態通知情報をノード資源状態データベースに蓄積するステップとを前記集中制御装置に有し、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定するようにし、
前記複数の通信ノード装置各々の制御チャネル終端部と前記集中制御装置の制御チャネル終端部との間において前記状態通知情報を制御チャネルを介して交換するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしたことを特徴とする状態通知情報相互交換方法。
【請求項６４】
前記第１のノード資源は、少なくとも前記要素波長チャネル単位で個別に方路切替え可能な方路切替器と、前記要素波長チャネル単位で個別に動作可能な３Ｒ（ｒｅｓｈａｐｉｎｇ，ｒｅｔｉｍｉｎｇ，ｒｅｇｅｎｅｒａｔｉｏｎ）再生中継器と、前記要素波長チャネル単位で個別に動作可能な波長変換器と、前記要素波長チャネル単位で個別に動作可能な信号フォーマット変換
器と、前記要素波長チャネル単位で個別に動作可能な信号速度変換器とのうちの一つであることを特徴とする請求項６２または請求項６３記載の状態通知情報相互交換方法。
【請求項６５】
前記第２のノード資源は、少なくとも前記波長チャネル群単位で一括して方路切替え可能な一括方路切替器と、前記波長チャネル群単位で一括して動作可能な一括３Ｒ（ｒｅｓｈａｐｉｎｇ，ｒｅｔｉｍｉｎｇ，ｒｅｇｅｎｅｒａｔｉｏｎ）再生中継器と、前記波長チャネル群単位で一括して動作可能な一括波長変換器と、前記波長チャネル群単位で一括して動作可能な一括フォーマット変換器と、前記波長チャネル群単位で一括して動作可能な一括信号速度変換器とのうちの一つであることを特徴とする請求項６２から請求項６４のいずれか記載の状態通知情報相互交換方法。
【請求項６６】
前記状態通知情報は、前記隣接する光通信ノード装置へ送信する際に、状態通知情報の発信元光通信ノード装置のアドレスと、前記光通信ノード装置に配置された各ノード資源の状態に関する項目と、前記光通信ノード装置の各入力インタフェース及び各出力インタフェースに入出力される光リンクの状態に関する項目とを少なくとも記載するようにしたことを特徴とする請求項６２から請求項６５のいずれか記載の状態通知情報相互交換方法。
【請求項６７】
前記状態通知情報は、前記光通信ノード装置に配置された前記第２のノード資源の状態に関する波長チャネル群の構造に係わる項目として、  前記ノード資源毎に、
インタフェース群の状態に関する項目として、インタフェース群の番号、前記インタフェース群に含まれる各インタフェースの番号の各項目を少なくとも記載するようにし、
ポート群の状態に関する項目として、ポート群の番号、前記ポート群に含まれる各ポートの番号、前記ポート群に接続可能な前記インタフェース群の番号の各項目を少なくとも記載するようにしたことを特徴とする請求項６６記載の状態通知情報相互交換方法。
【請求項６８】
前記状態通知情報は、前記ノード資源の各入力ポートの状態に関する項目として、前記入力ポートの番号、前記入力ポートの使用コスト、前記入力ポートを介して設定可能な光パスの波長、前記入力ポートを介して設定可能な光パスのフォーマット、前記入力ポートを介して設定可能な光パスの信号速度、前記入力ポートの使用状態の各項目を少なくとも記載するようにしたことを特徴とする請求項６２から請求項６６のいずれか記載の状態通知情報相互交換方法。
【請求項６９】
前記状態通知情報は、前記入力ポートの使用状態が使用中の場合に、前記ノード資源の各入力ポートの状態に関する項目として、前記入力ポートに接続された入力インタフェースの番号及びインタフェース群の番号のいずれかと、前記入力ポートを介して設定されている光パスの番号とを記載するようにしたことを特徴とする請求項６８記載の状態通知情報相互交換方法。
【請求項７０】
前記状態通知情報は、前記ノード資源の各出力ポートの状態に関する項目として、前記出力ポートの番号、前記出力ポートの使用コスト、前記出力ポートを介して設定可能な光パスの波長、前記出力ポートを介して設定可能な光パスのフォーマット、前記出力ポートを介して設定可能な光パスの信号速度、前記出力ポートの使用状態の各項目を少なくとも記載するようにしたことを特徴とする請求項６２から請求項６６のいずれか記載の状態通知情報相互交換方法。
【請求項７１】
前記状態通知情報は、前記出力ポートの使用状態が使用中の場合に、前記ノード資源の各出力ポートの状態に関する項目として、前記出力ポートに接続された出力インタフェースの番号及びインタフェース群の番号のいずれかと、前記出力ポートを介して設定されている光パスの番号とを記載するようにしたことを特徴とする請求項７０記載の状態通知情報相互交換方法。
【請求項７２】
前記状態通知情報は、中継光通信ノード装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしたことを特徴とする請求項６２から請求項７１のいずれか記載の状態通知情報相互交換方法。
【請求項７３】
前記状態通知情報は、前記光通信ノード装置の各入力インタフェース及び各出力インタフェースに入出力される光リンクの状態に関する項目として、前記光リンク毎の出力側光通信ノード装置のアドレス、出力側インタフェース番号、入力側光通信ノード装置のアドレス、入力側インタフェース番号、前記光リンク内の各要素波長チャネルの状態に関する項目の各項目を少なくとも記載するようにしたことを特徴とする請求項７２記載の状態通知情報相互交換方法。
【請求項７４】
前記状態通知情報は、前記光リンク内の各要素波長チャネルの状態に関する項目として、前記要素波長チャネル毎の要素波長チャネルの番号、前記要素波長チャネルの使用コスト、波長、フォーマット、信号速度、要素波長チャネルの使用状態の各項目を少なくとも記載するようにしたことを特徴とする請求項７３記載の状態通知情報相互交換方法。
【請求項７５】
前記状態通知情報は、前記要素波長チャネルの使用状態が使用中の場合に、前記要素波長チャネルの状態に関する項目として、前記要素波長チャネル上に設定された波長パスの番号を記載するようにしたことを特徴とする請求項７４記載の状態通知情報相互交換方法。
【請求項７６】
１つ以上の中継光通信ノード装置の前記波長チャネル群単位で一括して信号処理する第２のノード資源を経由して設定された光パスを、前記光パスの両端の光通信ノード装置間に設定された単一の擬似光リンクとみなし、前記擬似光リンクの設定に使用されている全ての光リンクの状態に関する項目と前記ノード資源の入力ポート及び出力ポートの状態に関する項目とを前記状態通知情報から消去し、代わりに前記擬似光リンクの状態に関する項目を前記状態通知情報に付加するようにしたことを特徴とする請求項６２から請求項７５のいずれか記載の状態通知情報相互交換方法。
【請求項７７】
前記状態通知情報は、前記擬似光リンクの状態に関する項目として、出力側光通信ノード装置のアドレス、出力側インタフェースの番号、入力側光通信ノード装置のアドレス、入力側インタフェースの番号、前記擬似光リンク内の各擬似要素波長チャネルの状態に関する項目の各項目を少なくとも記載するようにしたことを特徴とする請求項７６記載の状態通知情報相互交換方法。
【請求項７８】
前記状態通知情報は、前記擬似要素波長チャネルの状態に関する項目として、前記擬似要素波長チャネルの番号、前記擬似要素波長チャネルの使用コスト、波長、フォーマット、信号速度、前記擬似要素波長チャネルの使用状態の各項目を少なくとも記載するようにしたことを特徴とする請求項７７記載の状態通知情報相互交換方法。
【請求項７９】
前記状態通知情報は、前記擬似要素波長チャネルの使用状態が使用中の場合に、前記擬似要素波長チャネルの状態に関する項目として、前記擬似要素波長チャネル上に設定されている光パスの番号を記載するようにしたことを特徴とする請求項７８記載の状態通知情報相互交換方法。
【請求項８０】
前記状態通知情報は、前記疑似要素波長チャネルの使用コストとして前記擬似要素波長チャネルを構成する全ての要素波長チャネルの使用コストと前記ノード資源の入力ポート及び出力ポートの使用コストとの合計値に設定するようにしたことを特徴とする請求項７８記載の状態通知情報相互交換方法。
【発明の詳細な説明】
【０００１】
【発明の属する技術分野】
本発明は通信ネットワーク、集中制御装置、通信ノード装置及びそれらに用いる状態通知情報相互交換方法に関し、特に通信ノード装置間における制御チャネル上での状態通知情報の相互交換を行う方法に関する。
【０００２】
【従来の技術】
従来の通信ネットワークにおいては、隣接する通信ノード装置間の信号伝送路であるリンクによって多数の通信ノード装置の出力インタフェースと入力インタフェースとをメッシュ状に相互接続したネットワークから構成されている。通信ネットワークは複数のリンクを繋ぎあわせ、通信ネットワークのクライアントとなる通信ノード装置に接続された２つのクライアント装置の間に、複数の中継通信ノード装置を経由するパスを設定、開放するサービスを提供する。パスはクライアントからの要求にしたがって動的に設定、開放することができる。
【０００３】
通信ノード装置には物理層におけるＳＯＮＥＴ（Ｓｙｎｃｈｒｏｎｏｕｓ−Ｏｐｔｉｃａｌ−Ｎｅｔｗｏｒｋ：同期光ネットワーク）のＤＣＳ（Ｄｉｇｉｔａｌ−Ｃｒｏｓｓｃｏｎｎｅｃｔ−Ｓｙｓｔｅｍ：デジタルクロスコネクト装置）やＯＸＣ（Ｏｐｔｉｃａｌ−Ｃｒｏｓｓｃｏｎｎｅｃｔ：光クロスコネクト装置）、あるいはネットワーク層におけるＩＰ（Ｉｎｔｅｒｎｅｔ−Ｐｒｏｔｏｃｏｌ）ルータ等がある。パスの設定、開放を行うパス制御の面から見ると、これらの通信ノード装置はいずれも同じように制御することができる。
【０００４】
従来、通信ネットワークにおいては、図２３に示すように、通信ノード装置１（アドレス＃１００）と通信ノード装置６（アドレス＃２００）と通信ノード装置３（アドレス＃３００）とがリンク５０１〜５０４，６０１〜６０４を介して相互に接続されている。
【０００５】
図２３において、通信ノード装置６はパス制御ソフトウェア６１と、リンク状態データベース６２と、制御チャネル終端部６３と、リンク切替器６４とから構成され、通信ノード装置１，３各々にリンク切替器６４を介してリンク５０１〜５０４，６０１〜６０４で接続されるとともに、通信ノード装置１，３各々に制御チャネル終端部６３を介して制御チャネルで接続されている。
【０００６】
また、通信ノード装置６はリンク及び制御チャネルを介してクライアント装置４（アドレス＃４００）に接続されている。これら通信ノード装置１，６，３各々は制御チャネル上で、各々の入力インタフェース及び出力インタフェースに接続された各リンクの状態に関する項目を含む状態通知情報を相互に交換している。
【０００７】
この状態通知情報に記載される項目の一例を図２４に示す。図２４において、状態通知情報に記載される項目にはその状態通知情報の発信元である通信ノード装置のアドレス（発信元通信ノードアドレス「＃２００」）と、その通信ノード装置のインタフェースに接続された全てのリンクに関してリンク毎の出力側通信ノード装置のアドレス（出力側通信ノードアドレス「＃１００」，「＃２００」）と、出力側インタフェースの番号（出力側ＩＦ番号「６」）と、入力側通信ノード装置のアドレス（入力側通信ノードアドレス「＃２００」，「＃３００」）と、入力側インタフェースの番号（入力側ＩＦ番号「１」）と、リンクの使用コスト（「１」）とが含まれている。
【０００８】
上記の状態通知情報はリンクに関する情報を含むため、リンク状態通知情報と呼ばれる。他の通信ノード装置から受信したリンク状態通知情報は全ての通信ノード装置１，３，６に転送される。全てのリンク状態通知情報を受信した通信ノード装置１，３，６は、ある通信ノード装置と他の通信ノード装置との間にリンクが配置されているかどうか、かつ配置されている場合にそのリンクの使用コストがいくらかを知ることができ、これらのリンク状態通知情報に記載された項目をリンク状態データベース６２として蓄積して維持する。
【０００９】
クライアント装置からの要求にしたがってある通信ノード装置が他の通信ノード装置へのパスを設定する際に、パス制御ソフトウェア６１はリンク状態データベース６２を参照してパスを構成する全てのリンクのコストの合計値が最小になるようなパスを経路計算によって算出している。以上のように、各リンクの状態に関する項目を含むリンク状態情報通知を通信ノード装置１，３，６間で相互に交換し、各々の通信ノード装置１，３，６が受信したリンク状態通知情報をリンク状態データベース６２として蓄積して維持することによって、各々の通信ノード装置１，３，６のパス制御ソフトウェア６１がコストが最小となる最適なパスの経路を見つけ出すことができる。
【００１０】
上述したリンク状態通知情報に含まれる項目及びそれらの送受信の技術については、特開平０９−０７８００９号公報に開示された技術等があり、経路計算の技術については特開平０７−２５０３５６号公報に開示された技術等がある。
【００１１】
【発明が解決しようとする課題】
しかしながら、従来の状態通知情報の相互交換方法では、状態通知情報がリンクあるいはリンクを構成する要素チャネル及び要素チャネルを束ねたチャネル群の状態に関する項目のみを含むため、他の通信ノード装置がリンク、あるいは要素チャネル及びチャネル群の切替処理や信号フォーマット変換等の信号処理を行うために配置された様々な通信ノード装置上のノード資源の状態に関する項目、つまり通信ノード装置上のノード資源の残量や詳細な状態情報を知ることができないという問題がある。
【００１２】
他の通信ノード装置のパス制御ソフトウェアが経路計算によって算出したパスでは、中継通信ノード装置上のノード資源が他のパスによってすでに使用されており、不足している場合、パスにノード資源を割当てることができず、パスが設定できないことが起こりうる。この場合、経路計算によって算出したパスをネットワーク上で実際に設定してみて、設定できない旨がパス制御ソフトウェアに通知されると、新たに別の迂回用のパスを経路計算によって算出し、再度パスの設定を行わなければならない。このような試行錯誤的なパスの設定では、繰返しパスの設定に失敗する可能性がある。
【００１３】
また、状態通知情報がリンクのコストに関する情報のみを含むため、パス制御ソフトウェアがパスを算出する際に、通信ノード装置上のノード資源を使用することに対するコストが考慮されず、「使用するリンクの使用コスト＋使用する中継通信ノード装置上のノード資源の使用コスト」の最小化という観点での経路計算の最適化を行うことができないという問題がある。パス制御ソフトウェアがパスを設定する際には、リンクの使用コストを基に最適なリンクを選択するだけなので、中継通信ノード装置上の最適なノード資源を選択することができない。通信ネットワークをより効率よく運用する上で問題となる。
【００１４】
そこで、本発明の目的は上記の問題点を解消し、他の通信ノード装置のパス制御ソフトウェアが経路計算したパスに対して確実に中継通信ノード装置上のノード資源を割当ててパスを設定することができる通信ネットワーク、集中制御装置、通信ノード装置及びそれらに用いる状態通知情報相互交換方法を提供することにある。
【００１５】
また、本発明の他の目的は、通信ノード装置上のノード資源を使用することに対するコストを考慮した、リンクとノード資源の総コストの最小化という観点での経路計算の最適化を行うことができる通信ネットワーク、集中制御装置、通信ノード装置及びそれらに用いる状態通知情報相互交換方法を提供することにある。
【００１６】
【課題を解決するための手段】
本発明による第１の通信ネットワークは、入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放する通信ネットワークであって、
前記複数の通信ノード装置各々が、
前記要素チャネル単位で個別に信号処理する任意数の第１のノード資源と、
前記要素チャネルを複数束ねたチャネル群単位で一括して信号処理する任意数の第２のノード資源と、
前記第１及び第２のノード資源各々の状態に関する項目を少なくとも含む状態通知情報を前記隣接する通信ノード装置に送信しかつ前記隣接する通信ノード装置から他の通信ノード装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他の通信ノード装置に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御部とを有し、
前記隣接する通信ノード装置の制御チャネル終端部間において前記状態通知情報を交換する制御チャネルと前記複数の通信ノード装置各々とから構成するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００１７】
本発明による第２の通信ネットワークは、入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放し、集中制御装置で集中制御する通信ネットワークであって、
前記複数の通信ノード装置各々が、
前記要素チャネル単位で個別に信号処理する任意数の第１のノード資源と、
前記要素チャネルを複数束ねたチャネル群単位で一括して信号処理する任意数の第２のノード資源と、
前記第１及び第２のノード資源各々の状態に関する項目を少なくとも含む状態通知情報を前記集中制御装置に送信する制御チャネル終端部とを有し、
前記集中制御装置が、
前記複数の通信ノード装置各々に配置された前記第１及び第２のノード資源各々の状態に関する項目を少なくとも含む状態通知情報を前記複数の通信ノード装置各々から受信する制御チャネル終端部と、
前記複数の通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御部とを有し、
前記複数の通信ノード装置各々の制御チャネル終端部と前記集中制御装置の制御チャネル終端部との間において前記状態通知情報を交換する制御チャネルと前記複数の通信ノード装置各々と前記集中制御装置とから構成するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００１８】
本発明による第３の通信ネットワークは、入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放する通信ネットワークであって、
前記複数の光通信ノード装置各々が、
前記要素波長チャネル単位で個別に信号処理する任意数の第１のノード資源と、
前記要素波長チャネルを複数束ねた波長チャネル群単位で一括して信号処理する任意数の第２のノード資源と、
前記第１及び第２のノード資源各々の状態に関する項目を少なくとも含む状態通知情報を前記隣接する光通信ノード装置に送信しかつ前記隣接する光通信ノード装置から他の光通信ノード装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他の光通信ノード装置に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御部とを有し、
前記隣接する光通信ノード装置の制御チャネル終端部間において前記状態通知情報を交換する制御チャネルと前記複数の光通信ノード装置各々とから構成するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００１９】
本発明による第４の通信ネットワークは、入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放し、集中制御装置で集中制御する通信ネットワークであって、
前記複数の光通信ノード装置各々が、
前記要素波長チャネル単位で個別に信号処理する任意数の第１のノード資源と、
前記要素波長チャネルを複数束ねた波長チャネル群単位で一括して信号処理する任意数の第２のノード資源と、
前記第１及び第２のノード資源各々の状態に関する項目を少なくとも含む状態通知情報を前記集中制御装置に送信する制御チャネル終端部とを有し、
前記集中制御装置が、
前記複数の光通信ノード装置各々に配置された前記第１及び第２のノード資源各々の状態に関する項目を少なくとも含む状態通知情報を前記複数の光通信ノード装置各々から受信する制御チャネル終端部と、
前記複数の光通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御部とを有し、
前記複数の光通信ノード装置各々の制御チャネル終端部と前記集中制御装置の制御チャネル終端部との間において前記状態通知情報を交換する制御チャネルと前記複数の光通信ノード装置各々と前記集中制御装置とから構成するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００２０】
本発明による第５の通信ネットワークは、上記の構成において、前記状態通知情報は、中継光通信ノード装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしている。
【００２１】
本発明による第１の集中制御装置は、入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放する通信ネットワークにおいて集中制御を行う集中制御装置であって、
前記複数の通信ノード装置各々において前記要素チャネル単位で個別に信号処理する任意数の第１のノード資源及び前記要素チャネルを複数束ねたチャネル群単位で一括して信号処理する任意数の第２のノード資源各々の状態に関する項目を少なくとも含む状態通知情報を前記複数の通信ノード装置から受信する制御チャネル終端部と、
前記複数の通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御ソフトウェアとを備え、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００２２】
本発明による第２の集中制御装置は、入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放する通信ネットワークにおいて集中制御を行う集中制御装置であって、
前記複数の光通信ノード装置各々において前記要素波長チャネル単位で個別に信号処理する任意数の第１のノード資源及び前記要素波長チャネルを複数束ねた波長チャネル群単位で一括して信号処理する任意数の第２のノード資源各々の状態に関する項目を少なくとも含む状態通知情報を前記複数の光通信ノード装置から受信する制御チャネル終端部と、
前記複数の光通信ノード装置各々に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御ソフトウェアとを備え、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００２３】
本発明による第３の集中制御装置は、上記の構成において、前記状態通知情報は、中継光通信ノード装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしている。
【００２４】
本発明による第１の通信ノード装置は、入力インタフェース及び出力インタフェースがリンクによって隣接装置に相互接続され、前記リンクを構成する１つ以上の要素チャネルを使用して複数の装置にまたがったパスを動的に設定／開放する通信ノード装置であって、
前記要素チャネル単位で個別に信号処理する任意数の第１のノード資源と、
前記要素チャネルを複数束ねたチャネル群単位で一括して信号処理する任意数の第２のノード資源と、
前記第１及び第２のノード資源各々の状態に関する項目を少なくとも含む状態通知情報を前記隣接装置に送信しかつ前記隣接装置から他装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他装置に配置された前記第１及び第２のノード資源各々の状態に関する項目を少なくとも含む状態通知情報を蓄積するノード資源状態データベースと、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するパス制御ソフトウェアとを有し、
前記隣接装置の制御チャネル終端部間において前記状態通知情報を制御チャネルを介して交換するようにし、
前記状態通知情報は、自装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００２５】
本発明による第２の通信ノード装置は、入力インタフェース及び出力インタフェースが光リンクによって隣接装置に相互接続され、前記光リンクを構成する１つ以上の要素波長チャネルを使用して複数の隣接装置にまたがった光パスを動的に設定／開放する通信ノード装置であって、
前記要素波長チャネル単位で個別に信号処理する任意数の第１のノード資源と、
前記要素波長チャネルを複数束ねた波長チャネル群単位で一括して信号処理する任意数の第２のノード資源と、
前記第１及び第２のノード資源各々の状態に関する項目を少なくとも含む状態通知情報を前記隣接装置に送信しかつ前記隣接装置から他装置に配置された前記第１及び第２のノード資源各々の状態に関する項目を少なくとも含む状態通知情報を受信する制御チャネル終端部と、
前記第１及び第２のノード資源各々の状態に関する項目を少なくとも含む状態通知情報及び前記他装置に配置された前記第１及び第２のノード資源各々の状態に関する項目を少なくとも含む状態通知情報を蓄積するノード資源状態データベースと、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定する光パス制御ソフトウェアとを有し、
前記隣接装置の制御チャネル終端部間において前記状態通知情報を制御チャネルを介して交換するようにし、
前記状態通知情報は、自装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００２６】
本発明による第３の通信ノード装置は、上記の構成において、前記状態通知情報は、中継装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしている。
【００２７】
本発明による第１の通信ネットワークの状態通知情報相互交換方法は、入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放する通信ネットワークの状態通知情報相互交換方法であって、
前記複数の通信ノード装置各々に配設されかつ前記要素チャネル単位で信号処理する個別に任意数の第１のノード資源と前記複数の通信ノード装置各々に配設されかつ前記要素チャネルを複数束ねたチャネル群単位で一括して信号処理する任意数の第２のノード資源各々の状態に関する項目を少なくとも含む状態通知情報を前記隣接する通信ノード装置に制御チャネル終端部を介して送信するステップと、
前記隣接する通信ノード装置から他の通信ノード装置に配置された前記第１及び第２のノード資源各々の状態に関する項目を少なくとも含む状態通知情報を前記制御チャネル終端部を介して受信するステップと、
前記第１及び第２のノード資源各々の状態に関する項目を少なくとも含む状態通知情報及び前記他の通信ノード装置に配置された前記第１及び第２のノード資源各々の状態に関する項目を少なくとも含む状態通知情報をノード資源状態データベースに蓄積するステップとを前記複数の通信ノード装置各々に有し、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するようにし、
前記隣接する通信ノード装置の制御チャネル終端部間において前記状態通知情報を制御チャネルを介して交換するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００２８】
本発明による第２の通信ネットワークの状態通知情報相互交換方法は、入力インタフェース及び出力インタフェースがリンクによって隣接する通信ノード装置に相互接続された複数の通信ノード装置から構成され、前記リンクを構成する１つ以上の要素チャネルを使用して複数の通信ノード装置にまたがったパスを動的に設定／開放し、集中制御装置で集中制御する通信ネットワークの状態通知情報相互交換方法であって、
前記要素チャネル単位で個別に信号処理する任意数の第１のノード資源と前記要素チャネルを複数束ねたチャネル群単位で一括して信号処理する任意数の第２のノード資源各々の状態に関する項目を少なくとも含む状態通知情報を前記集中制御装置に制御チャネル終端部を介して送信するステップを前記複数の通信ノード装置各々に有し、
前記複数の通信ノード装置各々に配置された前記第１及び第２のノード資源各々の状態に関する項目を少なくとも含む状態通知情報を前記複数の通信ノード装置各々から制御チャネル終端部を介して受信するステップと、
前記複数の通信ノード装置各々に配置された前記第１及び第２のノード資源各々の状態に関する項目を少なくとも含む状態通知情報をノード資源状態データベースに蓄積するステップとを前記集中制御装置に有し、
前記ノード資源状態データベースの蓄積内容を参照して前記パスの経路を計算して前記第１及び第２のノード資源各々の中から前記パスの設定に使用するノード資源を選択しかつその計算結果にしたがって前記入力インタフェース及び前記出力インタフェースと前記パスの設定に使用するノード資源の入力ポート及び出力ポートとを接続して前記パスを設定するようにし、
前記複数の通信ノード装置各々の制御チャネル終端部と前記集中制御装置の制御チャネル終端部との間において前記状態通知情報を制御チャネルを介して交換するようにし、
前記状態通知情報は、前記通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００２９】
本発明による第３の通信ネットワークの状態通知情報相互交換方法は、入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放する通信ネットワークの状態通知情報相互交換方法であって、
前記要素波長チャネル単位で個別に信号処理する任意数の第１のノード資源と前記要素波長チャネルを複数束ねた波長チャネル群単位で一括して信号処理する任意数の第２のノード資源各々の状態に関する項目を少なくとも含む状態通知情報を前記隣接する光通信ノード装置に制御チャネル終端部を介して送信するステップと、
前記隣接する光通信ノード装置から他の光通信ノード装置に配置された前記第１及び第２のノード資源各々の状態に関する項目を少なくとも含む状態通知情報を前記制御チャネル終端部を介して受信するステップと、
前記第１及び第２のノード資源各々の状態に関する項目を少なくとも含む状態通知情報及び前記他の光通信ノード装置に配置された前記第１及び第２のノード資源各々の状態に関する項目を少なくとも含む状態通知情報をノード資源状態データベースに蓄積するステップとを前記複数の光通信ノード装置各々に有し、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定するようにし、
前記隣接する光通信ノード装置の制御チャネル終端部間において前記状態通知情報を制御チャネルを介して交換するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００３０】
本発明による第４の通信ネットワークの状態通知情報相互交換方法は、入力インタフェース及び出力インタフェースが光リンクによって隣接する光通信ノード装置に相互接続された複数の光通信ノード装置から構成され、前記光リンクを構成する１つ以上の要素波長チャネルを使用して複数の光通信ノード装置にまたがった光パスを動的に設定／開放し、集中制御装置で集中制御する通信ネットワークの状態通知情報相互交換方法であって、
前記要素波長チャネル単位で個別に信号処理する任意数の第１のノード資源と前記要素波長チャネルを複数束ねた波長チャネル群単位で一括して信号処理する任意数の第２のノード資源各々の状態に関する項目を少なくとも含む状態通知情報を前記集中制御装置に制御チャネル終端部を介して送信するステップを前記複数の光通信ノード装置各々に有し、
前記複数の光通信ノード装置各々に配置された前記第１及び第２のノード資源各々の状態に関する項目を少なくとも含む状態通知情報を前記複数の光通信ノード装置各々から制御チャネル終端部を介して受信するステップと、
前記複数の光通信ノード装置各々に配置された前記第１及び第２のノード資源各々の状態に関する項目を少なくとも含む状態通知情報をノード資源状態データベースに蓄積するステップとを前記集中制御装置に有し、
前記ノード資源状態データベースの蓄積内容を参照して前記光パスの経路を計算して前記第１及び第２のノード資源各々の中から前記光パスの設定に使用するノード資源を選択しかつその計算結果にしたがって前記入力インタフェース及び前記出力インタフェースと前記光パスの設定に使用するノード資源の入力ポート及び出力ポートとを接続して前記光パスを設定するようにし、
前記複数の通信ノード装置各々の制御チャネル終端部と前記集中制御装置の制御チャネル終端部との間において前記状態通知情報を制御チャネルを介して交換するようにし、
前記状態通知情報は、前記光通信ノード装置に配置された各ノード資源の状態に関する項目として、前記ノード資源毎のノード資源番号と、前記ノード資源の種別と、波長変換機能の有無と、前記ノード資源の各入力ポートの状態に関する項目と、前記ノード資源の各出力ポートの状態に関する項目とを少なくとも記載するようにしている。
【００３１】
本発明による第５の通信ネットワークの状態通知情報相互交換方法は、上記の方法において、前記状態通知情報は、中継光通信ノード装置上に配置されたノード資源の入力ポートの使用状態及び出力ポートの使用状態と、前記ノード資源の入力ポート及び出力ポートの使用に伴うコストとを考慮して光パスの経路の計算及び使用するノード資源の選択に用いるようにしている。
【００３２】
すなわち、本発明の通信ノード装置は、少なくとも一つの要素波長チャネルからなる光リンクまたは複数の要素波長チャネルを束ねた波長チャネル群単位、及び要素波長チャネル単位での接続切替処理や波長変換処理や３Ｒ（ｒｅｓｈａｐｉｎｇ，ｒｅｔｉｍｉｎｇ，ｒｅｇｅｎｅｒａｔｉｏｎ）再生中継処理等の信号処理が可能な光通信ノード装置に関するものである。
【００３３】
本発明の通信ノード装置では、上記の光通信ノード装置において、複数の光通信ノード装置にまたがった光パスを設定する際に、中継光通信ノード装置上で利用可能なノード資源量やノード資源確保に伴うコストを考慮した光パス計算を行えるよう、光リンク、波長チャネル群、及び要素波長チャネルの切替処理や信号処理を行うために配置された光通信ノード装置上のノード資源に関する状態情報を他の光通信ノード装置に通知し、その状態通知情報を集めたノード資源状態データベースを維持することを特徴としている。
【００３４】
より具体的に、本発明の通信ノード装置では、光通信ノード装置のノード資源状態データベースが光通信ノード装置に配置された各ノード資源に関する状態通知情報を光通信ノード装置間で相互に交換することで維持される。
【００３５】
ノード資源に関する状態通知情報の項目にはノード資源毎のノード資源番号、ノード資源種別、波長変換機能の有無、ノード資源の各入力ポートに関する状態通知情報及び各力ポートに関する状態通知情報が含まれている。
【００３６】
ポートに関する状態通知情報の項目にはポート番号と使用コストとが含まれ、ポートを介して設定可能な光パスの波長、フォーマット、信号速度、ポートの使用状態、接続されたインタフェース番号、ポートを介して設定されている光パス番号とが含まれている。
【００３７】
このようにして、本発明の通信ノード装置では、光通信ノード装置に配置された各ノード資源に関する状態通知情報を光通信ノード装置間で相互に交換することによって、ノード資源状態データベースが維持されるので、中継光通信ノード装置上で利用可能なノード資源量やノード資源確保に伴う使用コストを考慮した光パスの経路計算を行うことが可能となる。
【００３８】
したがって、通信ノード装置間の最適なパスの経路計算を行い、かつそのパスに中継通信ノード装置上で確実にノード資源を割当てられるよう、リンクの状態だけでなく、通信ノード装置上のノード資源の残量、詳細な属性、コスト等の通信ノード装置内部の状態が記載された状態通知情報の項目を提供することが可能となる。
【００３９】
【発明の実施の形態】
次に、本発明の実施例について図面を参照して説明する。図１は本発明の一実施例による光通信ネットワークの構成を示すブロック図である。図１において、本発明の一実施例による光通信ネットワークは光通信ノード装置１（アドレス＃１００）と、光通信ノード装置２（アドレス＃２００）と、光通信ノード装置３（アドレス＃３００）と、クライアント装置４（アドレス＃４００）とから構成されている。ここで、光通信ノード装置１〜３はそれぞれ同様の構成となっているが、図１においては光通信ノード装置２のみの構成を図示している。
【００４０】
光通信ノード装置２は１つの要素波長チャネルを含む光リンクを入力する９つの入力インタフェース（＃１〜＃９）と、１つの要素波長チャネルを含む光リンクを出力する９つの出力インタフェース（＃１０〜＃１８）と、光パス制御ソフトウェア２１と、リンク状態データベース２２と、ノード資源状態データベース２３と、制御チャネル終端部２４と、自動化ファイバ主分配盤（ｍａｉｎ−ｄｉｓｔｒｉｂｕｔｉｏｎ−ｆｒａｍｅ：ＭＤＦ）２５とを備えている。
【００４１】
光通信ノード装置２は光通信ノード装置１，３各々に自動化ファイバ主分配盤２５と各ノード資源（波長チャネル群切替器２６、要素波長チャネル切替器２７、波長チャネル群３Ｒ再生中継器２８）とを介して光リンク１０１〜１０８，２０１〜２０８で接続されるとともに、通信ノード装置１，３各々に制御チャネル終端部２４を介して制御チャネルで接続されている。
【００４２】
また、光通信ノード装置２は光リンク及び制御チャネルを介してクライアント装置４（アドレス＃４００）に接続されている。これら通信ノード装置１〜３各々は制御チャネル上での状態通知情報を相互に交換している。
【００４３】
上記の光リンク１０１〜１０８，２０１〜２０８は光通信ノード装置１，２の出力インタフェースと隣接する光通信ノード装置２，３の入力インタフェースとを接続し、特定の波長（図１ではλ１，λ２，λ３，λ４）の信号伝送路を含む。この波長の定まった信号伝送路は要素波長チャネルとよばれ、光リンク１０１〜１０８，２０１〜２０８とは１：１に対応している。この要素波長チャネルを複数束ね、物理的に波長多重したグループまたは論理的に束ねたグループを波長チャネル群と定義する。
【００４４】
波長チャネル群単位で信号処理するノード資源（波長チャネル群切替器２６、波長チャネル群３Ｒ再生中継器２８）が光通信ノード装置１〜３に配置されている場合には、波長チャネル群に含まれる全ての要素波長チャネルに対して一括して信号処理することができる。一般に、波長チャネル群に含まれる要素波長チャネルの波長や数は波長チャネル群毎に異なる。
【００４５】
また、光通信ノード装置２は光通信ノード装置に配置されたノード資源として波長チャネル群単位で一括した方路切替えを行う波長チャネル群切替器２６（資源番号＃１）と、要素波長チャネル単位で個別に方路切替え可能な要素波長チャネル切替器２７（資源番号＃２）と、波長チャネル群単位で一括して動作可能な波長チャネル群３Ｒ（ｒｅｓｈａｐｉｎｇ，ｒｅｔｉｍｉｎｇ，ｒｅｇｅｎｅｒａｔｉｏｎ）再生中継器２８（資源番号＃３）とを備えている。
【００４６】
光通信ノード装置１〜３に配置されたノード資源は要素波長チャネル単位で信号処理を行うノード資源（要素波長チャネル切替器２７）と、複数の要素波長チャネルをまとめて波長チャネル群単位で一括して信号処理を行うノード資源（波長チャネル群切替器２６、波長チャネル群３Ｒ再生中継器２８）とに分類される。
【００４７】
尚、上記の要素波長チャネル単位で信号処理を行うノード資源としては、要素波長チャネル単位の方路切替器、要素波長チャネル単位の３Ｒ再生中継器、要素波長チャネル単位の波長変換器、要素波長チャネル単位の信号フォーマット変換器、要素波長チャネル単位の信号速度変換器等がある。また、波長チャネル群単位で信号処理を行うノード資源としては、波長チャネル群単位の一括方路切替器、波長チャネル群単位の一括３Ｒ再生中継器、波長チャネル群単位の一括波長変換器、波長チャネル群単位の一括信号フォーマット変換器、波長チャネル群単位の一括信号速度変換器等がある。
【００４８】
波長チャネル群切替器２６は入力ポート群（入力ポート＃１，＃２及び入力ポート＃３，＃４）に入力される波長チャネル群を一括して任意の出力ポート群（出力ポート＃５，＃６及び出力ポート＃７，＃８）へ出力する処理を行う切替器である。入力ポート群及び出力ポート群はノード資源において波長チャネル群に対応して定義されたポートの群である。波長チャネル群切替器では要素波長チャネル単位の個別の方路切替えを行うことができないが、一般に同じ数の要素波長チャネルを処理する要素波長チャネル切替器よりも低コストで実現することができ、複数の要素波長チャネルを同一方路へ切替える処理には効率良いノード資源である。自動化ファイバ主分配盤２５を使用して光パスを設定する際には、光パスに光通信ノード装置１〜３上に配置された上記のようなノード資源から最適なノード資源を選択して割当てることとなる。
【００４９】
本実施例では、中継を行う光通信ノード装置２に配置されたノード資源を介して複数の要素波長チャネルを順番に繋ぎ合せることによって、光通信ノード装置１，３間の光パスを構成している。
【００５０】
光通信ノード装置１〜３はノード資源状態データベース２３とリンク状態データベース２２とを備えている。これら２つのデータベースを維持するために、光通信ノード装置１〜３は制御チャネル終端部２４を介して制御チャネル上で状態通知情報を相互に交換する。光パスを設定する際にはこれら２つのデータベースを基に経路計算が行われる。
【００５１】
図２は本発明の一実施例による他の光通信ノード装置へ送信する状態通知情報の一例を示す図である。図２においては上記のデータベースを維持するために、光通信ノード装置２から光通信ノード装置１，３へ送信される状態通知情報に記載される項目の例を示している。
【００５２】
状態通知情報に記載される項目には、状態通知情報の発信元光通信ノード装置のアドレス（発信元通信ノードアドレス「＃２００」）と、光通信ノード装置２に配置された各ノード資源に関する状態通知情報と、光通信ノード装置２の各入力インタフェース（入力ＩＦ）、各出力インタフェース（出力ＩＦ）に入力、出力される光リンクに関する状態通知情報とが含まれている。
【００５３】
図３は図１の光通信ノード装置２に配置された各ノード資源に関する状態通知情報に含まれる項目の一例を示す図である。図３において、光通信ノード装置２に配置された各ノード資源に関する状態通知情報に含まれる項目には、ノード資源毎のノード資源番号（資源番号「＃１」，「＃２」，「＃３」）と、ノード資源種別（資源種別「波長チャネル群切替器」，「要素波長チャネル切替器」，「波長チャネル群３Ｒ再生中継器」）と、波長変換機能の有無（「無」，「有」）と、ノード資源の各入力ポートに関する状態通知情報と、ノード資源の各出力ポートに関する状態通知情報と、波長チャネル群の構造に係わるインタフェース群、ポート群に関する状態通知情報とが含まれている。
【００５４】
尚、ノード資源番号「＃２」のノード資源では波長チャネル群に対する動作を行っていないので、波長チャネル群の構造に係わるインタフェース群、ポート群に関する状態通知情報の項目を設けているが、その内容は空である。
【００５５】
図４は図１のノード資源の各入力ポートに関する状態通知情報に含まれる項目の一例を示す図である。図４においてはノード資源の各入力ポートに関する状態通知情報に含まれる項目の一例として、番号＃１のノード資源の番号＃１の入力ポートにおける例を示している。
【００５６】
ノード資源の各入力ポートに関する状態通知情報に含まれる項目には、ポート番号（「＃１」）と、ポートの使用コスト（「１」）と、ポートを介して設定可能な光パスの波長（「任意」）と、ポートを介して設定可能な光パスのフォーマット（「任意」）と、ポートを介して設定可能な光パスの信号速度（「任意」）と、ポートの使用状態（「使用中」）と、接続されたインタフェースの番号（接続されたＩＦ番号「＃１」）と、ポートを介して設定されている光パスの番号（ポートを介して設定されている光パス番号「１００１」）とが含まれている。
【００５７】
図５は図１のノード資源の各入力ポートに関する状態通知情報に含まれる項目の一例を示す図である。図５においてはノード資源の各入力ポートに関する状態通知情報に含まれる項目の一例として、番号＃２のノード資源の番号＃１の入力ポートにおける例を示している。尚、ノード資源の各出力ポートに関する状態通知情報にも、このノード資源の各入力ポートに関する状態通知情報と同様の項目が含まれている。
【００５８】
ノード資源の各入力ポートに関する状態通知情報に含まれる項目には、ポート番号（「＃１」）と、ポートの使用コスト（「１」）と、ポートを介して設定可能な光パスの波長（「λ１」）と、ポートを介して設定可能な光パスのフォーマット（「ＳＯＮＥＴ（ｓｙｎｃｈｒｏｎｏｕｓ  ｏｐｔｉｃａｌ  ｎｅｔｗｏｒｋ）」）と、ポートを介して設定可能な光パスの信号速度［「ＯＣ（Ｏｐｔｉｃａｌ  Ｃａｒｒｉｅｒ）４８（２．５Ｇｂｉｔ／ｓ）」］と、ポートの使用状態（「未使用」）と、接続されたインタフェースの番号と、ポートを介して設定されている光パスの番号とが含まれている。
【００５９】
ここで、「ポートの使用状態」が「未使用」の場合には接続されたインタフェースの番号と、ポートを介して設定されている光パスの番号とを必ずしも項目として含む必要はない。
【００６０】
図６は図１の光通信ノード装置２の波長チャネル群の構造に係わるインタフェース群、ポート群に関する状態通知情報に含まれる項目の一例を示す図である。図６において、アドレス＃２００の光通信ノード装置２の番号＃１の資源における波長チャネル群の構造に係わるインタフェース群に関する状態通知情報に含まれる項目には、インタフェース群の番号（ＩＦ群番号「１」，「２」）と、インタフェース番号（ＩＦ番号「＃１，＃２」，「＃３，＃４」）とが含まれている。
【００６１】
また、アドレス＃２００の光通信ノード装置２の番号＃１の資源における波長チャネル群の構造に係わるポート群に関する状態通知情報に含まれる項目には、ポート群番号（「１」，「２」）と、ポート番号（「＃１，＃２」，「＃３，＃４」）と、ポート群へ接続可能なインタフェース群番号（ポート群へ接続可能なＩＦ群番号「１，３」，「２，４」）とが含まれている。
【００６２】
図７は図１の光通信ノード装置２の入力インタフェースへ入力される光リンクに関する状態通知情報に含まれる項目の一例を示す図である。図７においてはアドレス＃２００の光通信ノード装置２の番号＃１の入力インタフェースへ入力される要素波長チャネルに関する状態通知情報に含まれる項目の例を示している。
【００６３】
アドレス＃２００の光通信ノード装置２の番号＃１の入力インタフェースへ入力される光リンクに関する状態通知情報に含まれる項目には、出力側通信ノード装置のアドレス（出力側通信ノードアドレス「＃１００」）と、出力側インタフェース番号（出力側ＩＦ番号「＃１０」）と、入力側通信ノード装置のアドレス（入力側通信ノードアドレス「＃２００」）と、入力側インタフェース番号（出力側ＩＦ番号「＃１」）と、要素波長チャネルの使用コスト（「１」）と、波長（「λ１」）と、フォーマット（「任意」）と、信号速度（「１０Ｇｂｉｔ／ｓ以下」）と、要素波長チャネルの使用状態（「使用中」）と、設定された波長パスの番号（設定された波長パス番号「１００１」）とが含まれている。
【００６４】
上記の図２〜図７を参照すると、データベースを維持するためにアドレス＃２００の光通信ノード装置２からアドレス＃１００，＃３００の光通信ノード装置１，３へ送信される状態通知情報に記載される項目の例が示されている。ノード資源が波長チャネル群単位で一括して信号処理を行うノード資源の場合には、「光通信ノード装置上に配置された各ノード資源に関する状態通知情報」の項目には、図６に示されている「波長チャネル群の構造に係わるインタフェース群、ポート群に関する状態通知情報」が含まれる。
【００６５】
波長チャネル群単位で信号処理するノード資源はポート群に属するポートを一括して処理する。ポート群とインタフェース群とが接続されると、インタフェース群に属するインタフェースに入力、出力される光リンクに含まれる複数の要素波長チャネルあるいはそれら要素波長チャネル上に設定された複数の光パスがノード資源によって波長チャネル群として一括処理される。
【００６６】
図１に示すように、アドレス＃２００の光通信ノード装置２の波長チャネル群切替器２６を使用して、アドレス＃１００の光通信ノード装置１の番号＃１０の出力インタフェースからアドレス＃３００の光通信ノード装置３の番号＃１の入力インタフェースへ至るよう設定した光パス１００１は、アドレス＃１００の光通信ノード装置１からアドレス＃３００の光通信ノード装置３へ至る擬似的な光リンク、あるいは擬似的な要素波長チャネルとみなすことができる。
【００６７】
同時に、アドレス＃１００の光通信ノード装置１の番号＃１１の出力インタフェースからアドレス＃３００の光通信ノード装置３の番号＃２の入力インタフェースへ至る擬似的な光リンク、あるいは擬似的な要素波長チャネル１００２が新たに形成されたとみなすことができる。
【００６８】
そこで、アドレス＃１００，＃３００の光通信ノード装置１，３が送信する状態通知情報に、図８に示すこれら擬似的な光リンクに関する状態通知情報を付加し、以後の経路計算を簡略化することができる。
【００６９】
図８は図１のアドレス＃１００の光通信ノード装置１が送信する擬似的な光リンクに関する状態通知情報の一例を示す図である。図８においてはアドレス＃１００の光通信ノード装置１の番号＃１０，＃１１の出力インタフェース（ＩＦ）から出力され、アドレス＃３００の光通信ノード装置３の番号＃１，＃２の入力インタフェース（ＩＦ）に入力される擬似的な光リンクに関する状態通知情報の例を示している。
【００７０】
この状態通知情報の項目には出力側通信ノード装置のアドレス（出力側通信ノードアドレス「＃１００」）と、出力側インタフェースの番号（出力側ＩＦ番号「１０」，「１１」）と、入力側通信ノード装置のアドレス（入力側通信ノードアドレス「＃３００」）と、入力側インタフェースの番号（入力側ＩＦ番号「＃１」，「２」）と、要素波長チャネルの使用コスト（「５」）と、波長（「λ１」，「λ２」）と、フォーマット（「任意」）と、信号速度（「１０Ｇｂｉｔ／ｓ以下」）と、要素波長チャネルの使用状態（「使用中」，「未使用」）と、要素波長チャネル上に設定された波長パスの番号（要素波長チャネル上に設定された波長パス番号「１００１」）とを含んでいる。上記の要素波長チャネルの使用状態が「未使用」の場合には、要素波長チャネル上に設定されている波長パスの番号を必ずしも項目として含む必要はない。
【００７１】
このような擬似的な光リンクは経路計算の対象となる光リンクやノード資源の数を見かけ上削減し、経路計算の負荷を軽減するのに役立つ。擬似的な光リンクの使用コストは、例えばその擬似的な光リンクを構成するそれぞれの光リンク及びノード資源の使用コストの合計として設定することができる。
【００７２】
図９は本発明の一実施例によるノード資源の状態に関する項目を含む状態通知情報の送信処理を示すフローチャートであり、図１０は本発明の一実施例による光リンクの状態に関する項目を含む状態通知情報の送信処理を示すフローチャートであり、図１１は本発明の一実施例によるノード資源の状態に関する項目を含む状態通知情報を蓄積したノード資源状態データベースの更新処理を示すフローチャートであり、図１２は本発明の一実施例による光リンクの状態に関する項目を含む状態通知情報を蓄積したリンク状態データベースの更新処理を示すフローチャートである。これら図１と図９〜図１２とを参照して本発明の一実施例の動作について説明する。以下の説明では光通信ノード装置２における処理動作について説明する。
【００７３】
光通信ノード装置２は新しいノード資源が配置された場合（図９ステップＳ１）、新しいノード資源に関する「光通信ノード装置に配置された各ノード資源に関する状態通知情報」を追加した状態通知情報を隣接する光通信ノード装置１，３に送信する（図９ステップＳ２）。
【００７４】
また、光通信ノード装置２はすでに配置されているノード資源を消去した場合（図９ステップＳ３）、消去されたノード資源に関する「光通信ノード装置に配置された各ノード資源に関する状態通知情報」を消去した状態通知情報を隣接する光通信ノード装置１，３に送信する（図９ステップＳ４）。
【００７５】
さらに、光通信ノード装置２は光パスの設定、開放、あるいは管理上の設定によって「光通信ノード装置に配置された各ノード資源に関する状態通知情報」に含まれる項目の変更（配置されているノード資源の状態の項目の変更）のいづれかが行われた場合（図９ステップＳ５）、その「光通信ノード装置に配置された各ノード資源に関する状態通知情報」の該当する項目を更新した状態通知情報を隣接する光通信ノード装置１，３に送信する（図９ステップＳ６）。光通信ノード装置２は上述した処理動作を繰り返し行う（図９ステップＳ１〜Ｓ６）。
【００７６】
光リンクに関しても上記のノード資源の場合と同様の処理となる。つまり、光通信ノード装置２は新しい光リンクが配置された場合（図１０ステップＳ１１）、新しい光リンクに関する「光通信ノード装置に配置された各光リンクに関する状態通知情報」を追加した状態通知情報を隣接する光通信ノード装置１，３に送信する（図１０ステップＳ１２）。
【００７７】
また、光通信ノード装置２はすでに配置されている光リンクを消去した場合（図１０ステップＳ１３）、消去された光リンクに関する「光通信ノード装置に配置された各光リンクに関する状態通知情報」を消去した状態通知情報を隣接する光通信ノード装置１，３に送信する（図１０ステップＳ１４）。
【００７８】
さらに、光通信ノード装置２は光パスの設定、開放、あるいは管理上の設定によって「光通信ノード装置に配置された各光リンクに関する状態通知情報」に含まれる項目の変更（配置されているノード資源の状態の項目の変更）のいづれかが行われた場合（図１０ステップＳ１５）、その「光通信ノード装置に配置された各光リンクに関する状態通知情報」の該当する項目を更新した状態通知情報を隣接する光通信ノード装置１，３に送信する（図１０ステップＳ１６）。光通信ノード装置２は上述した処理動作を繰り返し行う（図１０ステップＳ１０〜Ｓ１６）。
【００７９】
一方、光通信ノード装置２は状態通知情報を受信すると（図１１ステップＳ２１）、「光通信ノード装置に配置された各ノード資源に関する状態通知情報」にノード資源状態データベース２３に登録されていない新規のノード資源が記載されている場合（図１１ステップＳ２２）、そのノード資源をノード資源状態データベース２３に新規に登録する（図１１ステップＳ２３）。
【００８０】
また、光通信ノード装置２はノード資源状態データベース２３に登録されているノード資源が「光通信ノード装置に配置された各ノード資源に関する状態通知情報」に記載されていない場合（図１１ステップＳ２４）、そのノード資源をノード資源状態データベース２３から消去する（図１１ステップＳ２５）。
【００８１】
さらに、光通信ノード装置２は「光通信ノード装置に配置された各ノード資源に関する状態通知情報」に記載されている項目の値とノード資源状態データベース２３に登録されている項目の値とが不一致の場合（図１１ステップＳ２６）、該当するノード資源に関して、ノード資源状態データベース２３に登録されている項目の値を状態通知情報に記載されている項目の値で更新する（図１１ステップＳ２７）。
【００８２】
その後に、光通信ノード装置２は受信した状態通知情報を他の光通信ノード装置１，３へさらに転送する（図１１ステップＳ２８）。光通信ノード装置２は上述した処理動作を繰り返し行う（図１１ステップＳ２１〜Ｓ２８）。
【００８３】
光リンクに関しても上記のノード資源の更新処理の場合と同様である。つまり、光通信ノード装置２は状態通知情報を受信すると（図１２ステップＳ３１）、「光通信ノード装置に配置された各光リンクに関する状態通知情報」にリンク状態データベース２２に登録されていない新規の光リンクが記載されている場合（図１２ステップＳ３２）、その光リンクをリンク状態データベース２２に新規に登録する（図１２ステップＳ３３）。
【００８４】
また、光通信ノード装置２はリンク状態データベース２２に登録されている光リンクが「光通信ノード装置に配置された各光リンクに関する状態通知情報」に記載されていない場合（図１２ステップＳ３４）、その光リンクをリンク状態データベース２２から消去する（図１２ステップＳ３５）。
【００８５】
さらに、光通信ノード装置２は「光通信ノード装置に配置された各光リンクに関する状態通知情報」に記載されている項目の値とリンク状態データベース２２に登録されている項目の値とが不一致の場合（図１２ステップＳ３６）、該当する光リンクに関して、リンク状態データベース２２に登録されている項目の値を状態通知情報に記載されている項目の値で更新する（図１２ステップＳ３７）。
【００８６】
その後に、光通信ノード装置２は受信した状態通知情報を他の光通信ノード装置１，３へさらに転送する（図１２ステップＳ３８）。光通信ノード装置２は上述した処理動作を繰り返し行う（図１２ステップＳ３１〜Ｓ３８）。
【００８７】
このように、状態通知情報が光通信ノード装置１〜３上に配置されたノード資源に関するノード資源種別やポートの使用状態等の詳細な状態情報に関する項目を含んでいるので、他の光通信ノード装置の光パス制御ソフトウェアが経路計算した光パスに対して確実に中継光通信ノード装置上のノード資源を割当てて、光パスを設定することができる。よって、経路計算によって算出したパスをネットワーク上で実際に設定する際に、設定できない旨が通知されることはなく、新たに別の迂回用のパスを経路計算によって算出し、再度パスの設定を行う必要もない。
【００８８】
また、状態通知情報が光通信ノード装置１〜３上に配置されたノード資源に関するポートの使用コストに関する項目を含んでいるので、光パス制御ソフトウェア２１が光パスを算出する際に光通信ノード装置１〜３上のノード資源を使用することに対するコストを考慮し、「使用する光リンクのコスト＋使用する中継光通信ノード装置上のノード資源のコスト」の最小化という観点での経路計算の最適化を行うことができる。
【００８９】
以下、光通信ノード装置１から光通信ノード装置３に光パスを設定する場合の経路計算について説明する。この場合、光パス制御ソフトウェア２１はリンク状態データベース２２とノード資源状態データベース２３とを参照して総使用コストが最小の経路を計算し、その経路に沿って光パスを設定する。総使用コストの中には使用する光リンクだけでなく、使用するノード資源のコストも考慮されている。
【００９０】
上記の経路計算による経路の候補としては、例えば次の２つの経路Ａ，Ｂがある。経路Ａは「光リンク１０１→資源番号＃１の波長チャネル群切替器２６の入力ポート＃１→資源番号＃１の波長チャネル群切替器２６の出力ポート＃５→光リンク２０１」の波長λ１の経路である。この経路Ａの総使用コストは「光リンク１０１の使用コスト＋資源番号＃１の波長チャネル群切替器２６の入力ポート＃１と出力ポート＃５との使用コスト＋光リンク２０１の使用コスト」となる。
【００９１】
また、経路Ｂは「光リンク１０３→資源番号＃２の要素波長チャネル切替器２７の入力ポート＃１→資源番号＃２の要素波長チャネル切替器２７の出力ポート＃５→光リンク２０３」の波長λ３の経路である。この経路Ｂの総使用コストは「光リンク１０３の使用コスト＋資源番号＃２の要素波長チャネル切替器２７の入力ポート＃１と出力ポート＃５との使用コスト＋光リンク２０３の使用コスト」となる。光パス制御ソフトウェアは、経路Ａ，Ｂから総使用コストの小さい方の経路を選択する。
【００９２】
上述した本発明の一実施例では光リンク１０１〜１０８，２０１〜２０８が要素波長チャネルを１つだけ含み１：１に対応している場合について述べたが、光リンクが要素波長チャネルを２つ以上含み１：ｎ（ｎは２以上の整数）に対応する場合にも適用可能である。以下、光リンクが要素波長チャネルを２つ以上含み１：２に対応している場合について述べる。
【００９３】
図１３は本発明の他の実施例による光通信ネットワークの構成を示すブロック図である。図１３においては、光リンクが要素波長チャネルと１：２に対応している場合のネットワーク例を示している。
【００９４】
この図１３において、本発明の他の実施例による光通信ネットワークは光通信ノード装置１（アドレス＃１００）と、光通信ノード装置２（アドレス＃２００）と、光通信ノード装置３（アドレス＃３００）と、クライアント装置４（アドレス＃４００）とから構成されている。ここで、光通信ノード装置１〜３はそれぞれ同様の構成となっているが、図１３においては光通信ノード装置２のみの構成を図示している。
【００９５】
光通信ノード装置２は隣接する光通信ノード装置間の光信号伝送路である光リンク３０１〜３０４を入力する５つの入力インタフェース（＃１〜＃５）と、光リンク４０１〜４０４を出力する５つの出力インタフェース（＃６〜＃１０）と、光パス制御ソフトウェア２１と、リンク状態データベース２２と、ノード資源状態データベース２３と、制御チャネル終端部２４と、自動化ファイバ主分配盤（ｍａｉｎ−ｄｉｓｔｒｉｂｕｔｉｏｎ−ｆｒａｍｅ：ＭＤＦ）２５とを備えている。
【００９６】
また、光通信ノード装置２は光通信ノード装置に配置されたノード資源として光リンク切替器２９（資源番号＃１）と、要素波長チャネル切替器２７（資源番号＃２）と、光リンク３Ｒ（ｒｅｓｈａｐｉｎｇ，ｒｅｔｉｍｉｎｇ，ｒｅｇｅｎｅｒａｔｉｏｎ）再生中継器３０（資源番号＃３）とを備えている。
【００９７】
光リンク３０１〜３０４，４０１〜４０４は複数の要素波長チャネルを含んでいる。中継光通信ノード装置（図１３においては光通信ノード装置２）に配置されたノード資源を介して、複数の要素波長チャネルを順番に繋ぎ合せることによって、光通信ノード装置１〜３間の光パスが構成される。この場合、１つの光リンクが含む要素波長チャネルの一部が光パスの設定に使用中であり、残りの要素波長チャネルが未使用状態である場合も起こりうる。
【００９８】
光通信ノード装置１〜３に配置されたノード資源は光リンクに含まれる全ての要素波長チャネルをまとめて光リンク単位で信号処理を行うノード資源（光リンク切替器２９、光リンク３Ｒ再生中継器３０）と、要素波長チャネル単位で信号処理を行うノード資源（要素波長チャネル切替器２７）とに分類される。光リンク切替器２９は任意の入力ポートに入力される要素波長チャネルを一括して光リンク単位で、任意の出力ポートへ出力する処理を行う切替器である。
【００９９】
個々の波長チャネル毎に異なる出力ポートへ出力する処理が必要な場合には、ノード資源として要素波長チャネル切替器２７を使用する。自動化ファイバ主分配盤２５を使用して入力インタフェースとノード資源の入力ポートとを接続し、ノード資源の出力ポートを出力インタフェースに接続することによって、光パスを設定する際に、光パスに光通信ノード装置１〜３上に配置されたノード資源を割当てている。
【０１００】
光通信ノード装置２は上記のように、全ての光通信ノード装置１〜３に配置されたノード資源の状態を記述するノード資源状態データベース２３と、全ての隣接する光通信ノード装置１，３間の光リンクの状態を記述するリンク状態データベース２２とを備えている。
【０１０１】
これらのデータベースを維持するために、光通信ノード装置２は隣接する光通信ノード装置１，３間に予め設定された制御チャネルを使用して自光通信ノード装置の状態通知情報を送信し、その制御チャネルを使用して他の光通信ノード装置の状態通知情報を受信する。他の全ての光通信ノード装置１，３から受信した状態通知情報をまとめたものがデータベースとなり、光パスを設定する際の経路計算に利用される。ノード資源や光リンクの状態が変更されると、その変更を反映した状態通知情報が送信され、上記のデータベースが更新される。
【０１０２】
図１４は本発明の他の実施例による他の光通信ノード装置へ送信する状態通知情報の一例を示す図である。図１４においては上記のデータベースを維持するために、光通信ノード装置２から光通信ノード装置１，３へ送信される状態通知情報に記載される項目の例を示している。
【０１０３】
状態通知情報に記載される項目には、状態通知情報の発信元光通信ノード装置のアドレス（発信元通信ノードアドレス「＃２００」）と、光通信ノード装置２に配置された各ノード資源に関する状態通知情報と、光通信ノード装置２の各入力インタフェース（入力ＩＦ）、各出力インタフェース（出力ＩＦ）に入力、出力される光リンクに関する状態通知情報とが含まれている。
【０１０４】
図１５は図１３の光通信ノード装置２に配置された各ノード資源に関する状態通知情報に含まれる項目の一例を示す図である。図１５において、光通信ノード装置２に配置された各ノード資源に関する状態通知情報に含まれる項目には、ノード資源毎のノード資源番号（資源番号「＃１」，「＃２」，「＃３」）と、ノード資源種別（資源種別「リンク切替器」，「要素波長チャネル切替器」，「リンク３Ｒ再生中継器」）と、波長変換機能の有無（「無」，「有」）と、ノード資源の各入力ポートに関する状態通知情報と、ノード資源の各出力ポートに関する状態通知情報とが含まれている。
【０１０５】
図１６は図１３のノード資源の各入力ポートに関する状態通知情報に含まれる項目の一例を示す図である。図１６においてはノード資源の各入力ポートに関する状態通知情報に含まれる項目の一例として、番号＃１のノード資源の番号＃１のポートにおける例を示している。
【０１０６】
ノード資源の各入力ポートに関する状態通知情報に含まれる項目には、ポート番号（「＃１」）と、ポートの総使用コスト（「２」）と、ポートを介して設定可能な光パスの波長（「任意」）と、ポートを介して設定可能な光パスのフォーマット（「任意」）と、ポートを介して設定可能な光パスの信号速度（「任意」）と、ポートの使用状態（「使用中」）と、接続されたインタフェースの番号（接続されたＩＦ番号「＃１」）と、ポートを介して設定されている光パスの番号（ポートを介して設定されている光パス番号「１００１」）とが含まれている。
【０１０７】
図１７は図１３のノード資源の各入力ポートに関する状態通知情報に含まれる項目の一例を示す図である。図１７においてはノード資源の各入力ポートに関する状態通知情報に含まれる項目の一例として、番号＃２のノード資源の番号＃１のポートにおける例を示している。尚、ノード資源の各出力ポートに関する状態通知情報にも、このノード資源の各入力ポートに関する状態通知情報と同様の項目が含まれている。
【０１０８】
ノード資源の各入力ポートに関する状態通知情報に含まれる項目には、ポート番号（「＃１」）と、ポートの総使用コスト（「４」）と、ポートを介して設定可能な光パスの波長（「λ１，λ２」）と、ポートを介して設定可能な光パスのフォーマット（「ＳＯＮＥＴ（ｓｙｎｃｈｒｏｎｏｕｓ  ｏｐｔｉｃａｌ  ｎｅｔｗｏｒｋ）」）と、ポートを介して設定可能な光パスの信号速度［「ＯＣ（Ｏｐｔｉｃａｌ  Ｃａｒｒｉｅｒ）４８（２．５Ｇｂｉｔ／ｓ）」］と、ポートの使用状態（「未使用」）と、接続されたインタフェースの番号と、ポートを介して設定されている光パスの番号とが含まれている。
【０１０９】
ここで、「ポートの使用状態」が「未使用」の場合には接続されたインタフェースの番号と、ポートを介して設定されている光パスの番号とを必ずしも項目として含む必要はない。
【０１１０】
図１８は図１３の光通信ノード装置２の各入力インタフェース、各出力インタフェースに入力、出力される光リンクに関する状態通知情報に含まれる項目の一例を示す図である。図１８において、光通信ノード装置の各入力インタフェース、各出力インタフェースに入力、出力される光リンクに関する状態通知情報に含まれる項目には、光リンク毎の出力側光通信ノード装置のアドレス（出力側通信ノードアドレス「＃１００」，「＃２００」）と、出力側インタフェース番号（出力側ＩＦ番号「＃６」）と、入力側光通信ノード装置のアドレス（入力側通信ノードアドレス「＃２００」，「＃３００」）と、入力側インタフェース番号（入力側ＩＦ番号「＃１」）と、光リンク内の各要素波長チャネルに関する状態通知情報とが含まれている。
【０１１１】
図１９は図１３の光リンク内の各要素波長チャネルに関する状態通知情報に含まれる項目の一例を示す図である。図１９においては光リンク内の各要素波長チャネルに関する状態通知情報に含まれる項目の例として、番号＃１の入力インタフェースに入力される光リンクにおける例を示している。光リンクには波長λ１，λ２の２つの要素波長チャネルが含まれている。
【０１１２】
光リンク内の各要素波長チャネルに関する状態通知情報に含まれる項目には、要素波長チャネル毎の要素波長チャネルの番号（「＃１」，「＃２」）と、要素波長チャネルの使用コスト（「１」）と、波長（「λ１」，「λ２」）と、フォーマット（「任意」）と、信号速度（「１０Ｇｂｉｔ／ｓ以下」）と、要素波長チャネルの使用状態（「使用中」，「未使用」）と、要素波長チャネル上に設定された波長パスの番号（要素波長チャネル上に設定された波長パス番号「１００１」）とが含まれている。上記の要素波長チャネルの使用状態が「未使用」の場合には、要素波長チャネル上に設定されている波長パスの番号を必ずしも項目として含む必要はない。
【０１１３】
図１３に示すように、アドレス＃２００の光通信ノード装置２のノード資源番号＃１の光リンク切替器２９のポート番号＃１，＃３のポートを使用して、アドレス＃１００の光通信ノード装置１の番号＃６の出力インタフェースからアドレス＃３００の光通信ノード装置３の番号＃１の入力インタフェースへ至る波長λ１の光パスを設定したとする。
【０１１４】
この場合には同じ光リンクに含まれる波長λ２の要素波長チャネルの使用状態とは無関係に、アドレス＃１００の光通信ノード装置１の番号＃６の出力インタフェースからアドレス＃３００の光通信ノード装置３の番号＃１の入力インタフェースへ至る１つの擬似的な光リンク（λ２）が新たに形成されたとみなすことができる。
【０１１５】
そこで、この擬似的な光リンクを構成するアドレス＃１００の光通信ノード装置１からアドレス＃２００の光通信ノード装置２へ至る光リンクの状態通知情報と、光リンク切替器２６のポート番号＃１，＃３に関する状態通知情報と、アドレス＃２００の光通信ノード装置２からアドレス＃３００の光通信ノード装置３へ至る光リンクの状態通知情報と、アドレス＃２００の光通信ノード装置２が送信する状態通知情報とを消去し、代わりにアドレス＃１００，＃３００の光通信ノード装置１，３が送信する状態通知情報に、この擬似的な光リンクに関する状態通知情報を付加する。
【０１１６】
図２０及び図２１は図１３のアドレス＃１００，＃３００の光通信ノード装置１，３が送信する擬似的な光リンクに関する状態通知情報の一例を示す図である。図２０においてはアドレス＃１００の光通信ノード装置１の番号＃６の出力インタフェース（ＩＦ）から出力され、アドレス＃３００の光通信ノード装置３の番号＃１の入力インタフェース（ＩＦ）に入力される擬似的な光リンクに関する状態通知情報の例を示している。
【０１１７】
この状態通知情報の項目には出力側通信ノード装置のアドレス（出力側通信ノードアドレス「＃１００」）と、出力側インタフェースの番号（出力側ＩＦ番号「＃６」）と、入力側通信ノード装置のアドレス（入力側通信ノードアドレス「＃３００」）と、入力側インタフェースの番号（入力側ＩＦ番号「＃１」）と、リンク内の要素波長チャネル毎の状態通知情報とを含んでいる。
【０１１８】
図２１においては要素波長チャネル毎の擬似的な要素波長チャネルに関する状態通知情報を示している。この擬似的な要素波長チャネルに関する状態通知情報の項目には要素波長チャネルの番号（「＃１」，「＃２」）と、要素波長チャネルの使用コスト（「４」）と、波長（「λ１」，「λ２」）と、フォーマット（「任意」）と、信号速度（「１０Ｇｂｉｔ／ｓ以下」）と、要素波長チャネルの使用状態（「使用中」，「未使用」）と、要素波長チャネル上に設定された波長パスの番号（要素波長チャネル上に設定された波長パス番号「１００１」）とを含んでいる。上記の要素波長チャネルの使用状態が「未使用」の場合には、要素波長チャネル上に設定されている波長パスの番号を必ずしも項目として含む必要はない。
【０１１９】
このような擬似的な光リンクは経路計算の対象となる光リンクやノード資源の数を見かけ上削減し、経路計算の負荷を軽減するのに役立つ。擬似的な光リンクの使用コストは、例えばその擬似的な光リンクを構成するそれぞれの光リンク及びノード資源の使用コストの合計として設定することができる。
【０１２０】
上述した本発明の一実施例及び他の実施例において、各光通信ノード装置１〜３に備えられたリンク状態データベース２２及びノード資源状態データベース２３と光パス制御ソフトェア２１とは、単一あるいは少数の集中管理装置に備えられたデータベースと光パス制御ソフトェアとで置換えられてもよい。この場合、制御チャネルは隣接する光通信ノード装置間ではなく、光通信ノード装置と集中管理装置との間に設定される。
【０１２１】
図２２は本発明の別の実施例による光通信ネットワークの構成を示すブロック図である。図２２において、本発明の別の実施例による光通信ネットワークは光通信ノード装置１（アドレス＃１００）と、光通信ノード装置２（アドレス＃２００）と、光通信ノード装置３（アドレス＃３００）と、クライアント装置４（アドレス＃４００）と、集中制御装置５とから構成されている。
【０１２２】
ここで、本発明の別の実施例による光通信ネットワークは光通信ノード装置１〜３の光パス制御ソフトウェア２１と、リンク状態データベース２２と、ノード資源状態データベース２３とを集中制御装置５にまとめて設置した以外は図１に示す本発明の一実施例による光通信ネットワークと同様の構成となっており、同一構成要素には同一符号を付してある。また、同一構成要素の動作は本発明の一実施例による光通信ネットワークと同様である。
【０１２３】
つまり、集中制御装置５は光パス制御ソフトウェア５１と、リンク状態データベース５２と、ノード資源状態データベース５３と、制御チャネル終端部５４とを備え、制御チャネル終端部５４によって光通信ノード装置１〜３の制御チャネル終端部２４（図においては光通信ノード装置１，３の制御チャネル終端部は図示せず）と制御チャネルとを介して接続されており、集中制御装置５と光通信ノード装置１〜３との間において制御チャネル上での状態通知情報を相互に交換している。
【０１２４】
尚、光パス制御ソフトウェア５１と、リンク状態データベース５２と、ノード資源状態データベース５３と、制御チャネル終端部５４とは上述した光パス制御ソフトウェア２１と、リンク状態データベース２２と、ノード資源状態データベース２３と、制御チャネル終端部２４と同様の構成及び動作となっている。
【０１２５】
上記のように、集中制御装置５にリンク状態データベース５２と、ノード資源状態データベース５３とを集中的に配置して制御することで、状態通知情報の隣接する光通信ノード装置１〜３への転送中における各光通信ノード装置１〜３上のデータベース間の一時的な不一致、あるいは非同期を回避することができる。
【０１２６】
尚、上述した本発明においては光通信システム及び方法について述べたが、各実施例を無線や有線の通信システム及び方法に適用することは可能であり、これらに限定されない。
【０１２７】
【発明の効果】
以上説明したように本発明の通信ノード装置によれば、入力インタフェース及び出力インタフェースがリンクによって隣接する通信ノード装置に相互接続され、リンクを構成する１つ以上の要素チャネルを使用して複数の通信ノード装置にまたがったパスを動的に設定／開放する通信ネットワークにおいて、要素チャネル単位で信号処理する任意数の第１のノード資源と、要素チャネルを複数束ねたチャネル群単位で信号処理する任意数の第２のノード資源と、第１及び第２のノード資源のうちの少なくとも一方に関する状態通知情報を隣接する通信ノード装置に送信しかつ隣接する通信ノード装置から他の通信ノード装置の持つノード資源に関する状態通知情報を受信する制御チャネル及び制御チャネル終端部と、第１及び第２のノード資源のうちの少なくとも一方に関する状態通知情報及び他の通信ノード装置の持つノード資源に関する状態通知情報を蓄積するノード資源状態データベースと、ノード資源状態データベースの蓄積内容を参照してパスの経路を計算しかつその計算結果にしたがって入力インタフェース及び出力インタフェースと第１及び第２のノード資源のうちの少なくとも一方のポートとを接続してパスを設定するパス制御部とを複数の通信ノード装置各々に設けることによって、他の通信ノード装置のパス制御ソフトウェアが経路計算したパスに対して確実に中継通信ノード装置上のノード資源を割当ててパスを設定することができるという効果がある。
【０１２８】
また、本発明の通信ノード装置によれば、上記の状態通知情報を、中継装置上で利用可能なノード資源量及びノード資源の確保に伴うコストを考慮したパス計算に用いることによって、通信ノード装置上のノード資源を使用することに対するコストを考慮した最小化という観点での経路計算の最適化を行うことができるという効果がある。
【図面の簡単な説明】
【図１】本発明の一実施例による光通信ネットワークの構成を示すブロック図である。
【図２】本発明の一実施例による他の光通信ノード装置へ送信する状態通知情報の一例を示す図である。
【図３】図１の光通信ノード装置に配置された各ノード資源に関する状態通知情報に含まれる項目の一例を示す図である。
【図４】図１のノード資源の各入力ポートに関する状態通知情報に含まれる項目の一例を示す図である。
【図５】図１のノード資源の各入力ポートに関する状態通知情報に含まれる項目の一例を示す図である。
【図６】図１の光通信ノード装置の波長チャネル群の構造に係わるインタフェース群、ポート群に関する状態通知情報に含まれる項目の一例を示す図である。
【図７】図１の光通信ノード装置の入力インタフェースへ入力される要素波長チャネルに関する状態通知情報に含まれる項目の一例を示す図である。
【図８】図１の光通信ノード装置が送信する擬似的な要素波長チャネルに関する状態通知情報の一例を示す図である。
【図９】本発明の一実施例によるデータベースのノード資源に関する状態通知情報の送信処理を示すフローチャートである。
【図１０】本発明の一実施例による光リンクの状態に関する項目を含む状態通知情報の送信処理を示すフローチャートである。
【図１１】本発明の一実施例によるノード資源の状態に関する項目を含む状態通知情報を蓄積したノード資源状態データベースの更新処理を示すフローチャートである。
【図１２】本発明の一実施例による光リンクの状態に関する項目を含む状態通知情報を蓄積したリンク状態データベースの更新処理を示すフローチャートである。
【図１３】本発明の他の実施例による光通信ネットワークの構成を示すブロック図である。
【図１４】本発明の他の実施例による他の光通信ノード装置へ送信する状態通知情報の一例を示す図である。
【図１５】図１３の光通信ノード装置に配置された各ノード資源に関する状態通知情報に含まれる項目の一例を示す図である。
【図１６】図１３のノード資源の各入力ポートに関する状態通知情報に含まれる項目の一例を示す図である。
【図１７】図１３のノード資源の各入力ポートに関する状態通知情報に含まれる項目の一例を示す図である。
【図１８】図１３の光通信ノード装置の各入力インタフェース、各出力インタフェースに入力、出力される光リンクに関する状態通知情報に含まれる項目の一例を示す図である。
【図１９】図１３の光リンク内の各要素波長チャネルに関する状態通知情報に含まれる項目の一例を示す図である。
【図２０】図１３の光通信ノード装置が送信する擬似的な光リンクに関する状態通知情報の一例を示す図である。
【図２１】図１３の光通信ノード装置が送信する擬似的な光リンクに関する状態通知情報の一例を示す図である。
【図２２】本発明の別の実施例による光通信ネットワークの構成を示すブロック図である。
【図２３】従来例による光通信ネットワークの構成を示すブロック図である。
【図２４】図２２の通信ノード装置間で相互に交換される状態通知情報に記載される項目の一例を示す図である。
【符号の説明】
１〜３  光通信ノード装置
４  クライアント装置
５  集中制御装置
２１，５１  光パス制御ソフトウェア
２２，５２  リンク状態データベース
２３，５３  ノード資源状態データベース
２４，５４  制御チャネル終端部
２５  自動化ファイバ主分配盤
２６  波長チャネル群切替器
２７  要素波長チャネル切替器
２８  波長チャネル群３Ｒ再生中継器
２９  光リンク切替器
３０  光リンク３Ｒ再生中継器
【図１】
0004433624.tif 000002
【図２】
0004433624.tif 000003
【図３】
0004433624.tif 000004
【図４】
0004433624.tif 000005
【図５】
0004433624.tif 000006
【図６】
0004433624.tif 000007
【図７】
0004433624.tif 000008
【図８】
0004433624.tif 000009
【図９】
0004433624.tif 000010
【図１０】
0004433624.tif 000011
【図１１】
0004433624.tif 000012
【図１２】
0004433624.tif 000013
【図１３】
0004433624.tif 000014
【図１４】
0004433624.tif 000015
【図１５】
0004433624.tif 000016
【図１６】
0004433624.tif 000017
【図１７】
0004433624.tif 000018
【図１８】
0004433624.tif 000019
【図１９】
0004433624.tif 000020
【図２０】
0004433624.tif 000021
【図２１】
0004433624.tif 000022
【図２２】
0004433624.tif 000023
【図２３】
0004433624.tif 000024
【図２４】
0004433624.tif 000025